(57)【要約】  複数のテレビ規格に亘って動作し、フラグ、制御ビット、データコピー、コピー保護信号、および／または映像変更信号を含むテレビ信号のコンテンツ制御の方法および装置。テレビ送信器、信号変換器、レコーダ、プレーヤ、およびその他等のテレビ型装置と動作可能な高精細テレビ信号のコンテンツ制御が提供される。コンテンツ制御するこの手法は、レガシーアナログテレビ規格および様々なＨＤＴＶ規格を含む新しい精細度のより高いテレビ規格の両方に対して動作して、使用されているコンテンツ制御情報を規格間で変換し検出することを目的とする。したがって、これは、クロスプラットフォーム能力を使用して複数の規格精細度のテレビコンテンツを制御する装置および方法を提供する。
2010539864.tif 000002
【特許請求の範囲】
【請求項１】
映像信号を変換する方法であって、
第１の規格に準拠し、コンテンツ制御情報を含む映像信号を受信することと、
前記受信した映像信号を第２の規格に準拠するように変換することと、
前記変換された映像信号に、前記受信した映像信号内のコンテンツ制御情報に対応するコンテンツ制御情報を含めることと、
前記対応するコンテンツ制御情報を有する前記変換された映像信号を出力することと
を含む、方法。
【請求項２】
前記出力映像信号内の前記コピー制御情報は、フラグ、制御ビット、変更信号、疑似同期パルス、カラーバースト変更、ＡＧＣパルス、後部ポーチパルス、変更された同期パルス、変更信号、または３値同期パルスのうちの１つである、請求項１に記載の方法。
【請求項３】
前記第２の規格は、ＮＴＳＣ、ＰＡＬ、ＳＥＣＡＭ、ＶＧＡ、またはＨＤＴＶのうちの１つである、請求項１に記載の方法。
【請求項４】
前記第２の規格はＨＤＴＶであり、前記第１の規格はＨＤＴＶであり、前記第１および第２の規格は、プログレッシブ走査あるいはインタレース走査、または解像度のライン数の点で異なる、請求項３に記載の方法。
【請求項５】
スケーラ、トランスコーダ、エンコーダ、またはコンバータである、請求項１に記載の方法を実行するように構成された装置。
【請求項６】
前記出力映像信号内の前記コピー制御情報は、前記受信した映像信号内の前記コンテンツ制御情報と同じコンテンツ制御効果を有する、請求項１に記載の方法。
【請求項７】
映像信号を変換する装置であって、
第１の規格に準拠した映像信号を受信するように構成された入力端子と、
前記入力端子に結合され、前記受信した映像信号を第２の規格に変換する映像コンバータと、
前記入力端子に結合され、コンテンツ制御情報を検出する検出器と、
前記検出器に結合され、前記検出されたものに対応する、前記第２の規格のコンテンツ制御情報を生成するコンテンツ制御論理と、
前記検出器および前記コンバータに結合され、前記生成されたコンテンツ制御情報を前記変換された映像信号に結合する結合器と、
前記結合器に結合された出力端子と
を備える、装置。
【請求項８】
出力される前記映像信号内の前記コピー制御情報は、フラグ、制御ビット、変更信号、疑似同期パルス、カラーバースト変更、ＡＧＣパルス、後部ポーチパルス、変更された同期パルス、変更信号、または３値同期パルスのうちの１つである、請求項７に記載の装置。
【請求項９】
前記第２の規格は、ＮＴＳＣ、ＰＡＬ、ＳＥＣＡＭ、ＶＧＡ、またはＨＤＴＶのうちの１つである、請求項７に記載の装置。
【請求項１０】
前記第２の規格はＨＤＴＶであり、前記第１の規格はＨＤＴＶであり、前記第１および第２の規格は、プログレッシブ走査あるいはインタレース走査、または解像度のライン数の点で異なる、請求項９に記載の装置。
【請求項１１】
スケーラ、トランスコーダ、エンコーダ、またはコンバータのうちの１つである、請求項７に記載の装置。
【請求項１２】
前記装置から出力される前記映像信号内の前記コピー制御情報は、前記受信した映像信号内の前記コンテンツ制御情報と同じコンテンツ制御効果を有する、請求項７に記載の装置。
【請求項１３】
映像信号を処理する方法であって、
第１の規格に準拠し、コンテンツ制御情報を含む映像信号を受信することと、
前記コンテンツ制御情報を検出することと、
前記受信した映像信号内のコンテンツ制御情報に対応する、第２の規格のコンテンツ制御情報を生成することと、
前記対応するコンテンツ制御情報を出力することと
を含む、方法。
【請求項１４】
前記出力されるコピー制御情報は、フラグ、制御ビット、変更信号、疑似同期パルス、カラーバースト変更、ＡＧＣパルス、後部ポーチパルス、変更された同期パルス、変更信号、または３値同期パルスのうちの１つである、請求項１に記載の方法。
【請求項１５】
前記第２の規格は、ＮＴＳＣ、ＰＡＬ、ＳＥＣＡＭ、ＶＧＡ、またはＨＤＴＶのうちの１つである、請求項１に記載の方法。
【請求項１６】
前記第２の規格はＨＤＴＶであり、前記第１の規格はＨＤＴＶであり、前記第１および第２の規格は、プログレッシブ走査あるいはインタレース走査、または解像度のライン数の点で異なる、請求項３に記載の方法。
【請求項１７】
リーダ、検出器、またはデコーダである、請求項１に記載の方法を実行するように構成された装置。
【請求項１８】
前記出力されるコピー制御情報は、前記受信した映像信号内の前記コンテンツ制御情報と同じコンテンツ制御効果を有する、請求項１に記載の方法。
【請求項１９】
映像信号を処理する装置であって、
第１の規格に準拠した映像信号を受信するように構成された入力端子と、
前記入力端子に結合され、前記映像信号内のコンテンツ制御情報を検出する検出器と、
前記検出器に結合され、前記検出されたコンテンツ制御情報に対応する、第２の規格のコンテンツ制御情報を生成するコンテンツ制御論理と、
前記論理に結合され、前記生成されたコンテンツ制御情報を出力する出力端子と
を備える、装置。
【発明の詳細な説明】
【技術分野】
【０００１】関連出願の相互参照
本願は、２００７年６月１５日に出願された米国仮特許出願第６０／９３４，７２３号の優先権を主張するものであり、この仮特許出願の全体を参照により本明細書に援用する。【０００２】発明の分野
本開示は、映像およびテレビ（ＴＶ）に関し、より詳細には、ＴＶ信号および映像信号のコンテンツ管理に関する。
【背景技術】
【０００３】発明の背景
コンテンツ管理またはコンテンツ制御は、情報分野において周知であり、一般に、視聴覚材料の使用を制御することを指す。このようなコンテンツ制御は、多くの場合、様々なダウンストリーム装置が材料をどのように使用できるかを定義するタグ、トリガビット、またはフラグを含むようにデジタル映像信号を変更することを含む。コンテンツ管理の一態様は、通常、アナログ領域で実行されるコピー保護である。一般に、コピー保護とは、満足のいく画質での映像録画を阻止するように映像信号を処理する方法および装置を指し、本明細書ではアンチコピープロセス（ＡＣＰ）とも呼ばれる。【０００４】  より広いコンテンツ制御の分野には、受信した映像信号内に特定の所定の信号があること（またはそれがないこと）を検出する回路またはソフトウェアを含むように設計されたいわゆる準拠装置（Ｃｏｍｐｌｉａｎｔ  ｄｅｖｉｃｅ）の使用が含まれる。特定の信号の存在（または欠落）は、例えば、受信側装置による記録、記憶、またはさらなる送信を許可または阻止するコマンドとして解釈される。場合によっては、この制御は、第１世代コピーは作成可能であるが、後続世代コピーは阻止される世代コピー管理を含む。このようなコピー管理は、ＤＶＤ等の映像メディアに使用される種類のデジタル映像信号に適用可能であると共に、高精細テレビを含むテレビ信号という他の種類のデジタル映像信号にも適用可能である。これらのより高度なコピー制御システムは、通常、受信側装置に、コンテンツ管理のために映像信号内に提供された特別なデータを検出し解釈する専用回路および／またはソフトウェアを必要とする。【０００５】  参照により全体が本明細書に援用される発明者Ｒｏｎａｌｄ  ＱＵＡＮ、名称Ｃｏｎｔｅｎｔ  Ｍａｎａｇｅｍｅｎｔ  ｆｏｒ  Ｈｉｇｈ  Ｄｅｆｉｎｉｔｉｏｎ  Ｔｅｌｅｖｉｓｉｏｎの米国特許出願公開第２００６／００９３１４０  Ａ１号は、３値同期パルスを使用する高精細テレビ映像信号の分野でのコンテンツ管理を対象とし、その全対が参照により本明細書に援用される。高精細（ＨＤ）テレビは、明確に定義された映像規格である。しかし、通常、映像分野では、テレビ信号は、必ずしも同じテレビ規格に準拠するとは限らない装置間および／または異なるテレビ規格の信号を受信し得る装置間で処理される。（テレビとは、電波、ケーブル、または衛星により伝送するように構成された映像の一種である）。テレビ規格は、長い間存続しており、一般に、ＮＴＳＣ、ＰＡＬ、ＳＥＣＡＭ、ＶＧＡ、およびその他を含むアナログ領域で動作する周知のいわゆるレガシーテレビ規格の両方を指す。垂直走査線７２０本および水平ピクセル１，２８０個を有するピクチャを提供する７２０ｐ規格を含む新たな各種デジタルテレビ規格も含まれる。ｐは、コンピュータディスプレイに使用されるように、順次走査を指す。ＨＤＴＶ（高精細テレビ）は、アナログ規格（米国ではＮＴＳＣ）テレビに取って代わりつつある。レガシーテレビと同様に、いくらか異なるＨＤＴＶフォーマットが、通常、異なるフレームレートを使用する異なる国々および国々のグループで採用されている。本明細書では、デジタルＴＶ（ＤＴＶ）は、特定のテレビフォーマットを指し、必ずしもいわ���るデジタルケーブルテレビと同じである必要はない。デジタルＴＶ（この意味では、実際にデジタル放送テレビ）は、実際に、デジタルフォーマットでのテレビ放送用に１８個の異なるフォーマットを定義している（米国では）。現在、ＨＤＴＶは、これら１８個のフォーマットのうちの少なくとも６つに相当する。
【発明の概要】
【発明が解決しようとする課題】
【０００６】概要
本発明者らは、複数のＴＶ規格に使用可能であり、かつフラグ、制御ビット、データ、コピー保護信号、および／または変更信号等の従来のコンテンツ管理情報と協働可能なコンテンツ制御システムを提供する必要性を突き止めた。特に、高精細ＴＶ信号のためのコンテンツ制御（本明細書ではコピー保護とも呼ばれるコピー制御を含む）が、ＴＶ送信器、信号変換器、レコーダ、プレーヤ、ディスプレイ、または同様のもの等の将来のＴＶ装置において必要である。２４０ｐ、ＮＴＳＣ、ＰＡＬ、ＳＥＣＡＭ、ＶＧＡ等の「レガシー」ＴＶ規格にも対応する必要があるため、新たなコンテンツ制御システムは、コンテンツ制御のために、レガシー規格を７２０ｐ、１０８０ｉ、１０８０ｐ等の新たなＴＶ高精細規格と組み合わせる必要がある。
【課題を解決するための手段】
【０００７】  現在利用可能なＴＶ／映像回路およびセットは、様々なＴＶ解像度（規格）に対応すると共に、特定またはプログラム可能なコピー／コンテンツ信号を使用する各ＴＶ規格を調整する。ＮＴＳＣまたはＰＡＬ等のコンポジットＴＶ信号を使用するコピー／コンテンツ制御に関して使用されるものは、ＲＧＢまたはコンポーネント映像波形に直接適用可能ではないことがある。例えば、コピー制御用のカラーストライプ副搬送波信号は、ＮＴＳＣまたはＰＡＬ  ＴＶに適用可能であるが、副搬送波信号のないコンポーネントＴＶ／映像波形には適用することができない。一実施形態は、高精細ＴＶ用の様々なＴＶ規格と協働する。あるＴＶ規格のコピー／コンテンツ制御信号から別のＴＶ規格のコピー／コンテンツ制御信号にマッピングすることにより、クロスプラットフォームシステムが達成される。【０００８】  異なるＴＶ解像度を使用する各種プラットフォーム間のコピー／コンテンツ制御は、ファイバ、衛星、インターネット、ケーブル、または電話回線（ＤＳＬまたはダイアルアップ）等を介して送信信号を受信して、ＨＤＴＶを含む異なるＴＶ規格のコピー／コンテンツ制御信号を構成するデータまたはプログラミング情報を受信することにより実施することができる。構成情報を媒体および／またはメモリ（例えば、固体状態、磁気、および／または光学）に記憶し、記憶された構成情報を使用して、多くのＴＶ規格に亘るコピー／コンテンツ制御信号をプログラムすることもできる。したがって、構成（コピー／コンテンツ制御信号および／または複数の解像度用のこのような信号の検出の）は、変更可能であるか、または更新可能である。【０００９】  異なるＴＶ規格間のコピー／コンテンツ制御信号のマッピングの目標は、セキュリティを制御システムに加えることである。セキュアな制御システムは「抜け道」を許さず、別の規格への変換が制限されるか、阻上されるか、または追加のコピー／コンテンツ制御信号を有する変換後映像信号を強制的に出力させるように、すべての規格が何等かの種類の認識可能な制御信号を有する。【００１０】  本発明の一実施形態は、ＨＤ（高精細）ＴＶ規格のうちの１つまたは複数に準拠した映像信号を符号化または変更する。各規格に準拠したＴＶ信号は、ＨＤ信号の部分への１つまたは複数の変更を含み得る。例えば、各ＨＤＴＶ規格は、それ自体の種類の変更または別のＨＤＴＶ規格と共通する変更を有し得る。【００１１】  別の実施形態は、３値同期映像信号を提供し、生成し、合成し、または処理して、３値同期映像信号（例えば、特定のコピー／コンテンツ制御ビットと結合され得る）の部分に変更された値を有する、少なくとも１つのＨＤＴＶ規格の映像信号にする装置または方法である（例えば、ＴＶは音声と映像とが結合した信号である）。【００１２】  別の実施形態は、標準精細のコピー保護信号および／または標準精細のコンテンツ制御信号を提供すると共に、高精細コピー／コンテンツ制御信号を提供する装置である。【００１３】  別の実施形態は、コンテンツ制御信号またはコピー保護信号を有する標準精細の映像信号を感知し、読み取り、または検出すると共に、ＨＤ映像信号上の変更を検出する能力を有するリーダま��は検出器である。例えば、これは、ＳＤおよび／またはＨＤ内の信号変更を検出可能な検出器、リーダ装置、またはソフトウェアアルゴリズムであることができる。リーダまたは検出器は、特定の装置または回路に埋め込むことができる。【００１４】  さらに別の実施形態は、ＨＤＴＶおよび／またはＳＤＴＶの形態のＤＴＶ（デジタルテレビ）を受信し、かつ／またはスケーリングされたアナログ信号および／またはデジタル信号を生成するコンバータを含むデジタルＴＶチューナ、装置、および／または受信器であり、１つまたは複数のアナログＴＶ出力およびデジタルＴＶ出力のコピー保護信号、データ信号、および／またはコンテンツ制御信号を生成することを含む。（コンテンツ／コピー制御側面のないこのような映像信号の変換は、当分野では慣行であることに留意する）。一例としては、１つまたは複数のコピー制御信号をＳＤＴＶ規格に追加する能力を有する変更ＨＤＴＶ信号を生成することが挙げられる。例えば、変更ＨＤＴＶ（および／またはＳＤＴＶ）種類の信号は、変更された同期パルス、従来のＡＧＣ（自動利得制御）パルス、オーバースキャン領域に追加されたデータ信号、ＴＶピクチャのオーバースキャン領域の上昇部もしくは下降部、および／または従来の疑似同期パルスを含み得る。例えば、ＨＤＴＶ信号内の任意の変更を読み取るか、または感知すると、ＳＤ映像信号が続けて変更されることになり得る。このような映像変換は慣行であり、ＴＶのラインおよびフィールドのアップサンプリングまたはダウンサンプリングにより行われる。特定のＤＶＤプレーヤ等の市販の製品は、これを行う。【００１５】  チューナ、装置、および／または受信器は、例えば、アナログＮＴＳＣまたは等価のコンポジット映像信号、コンピュータコンポーネント映像信号、コンポーネントビデオ信号、ＨＤＭＩ、ＳＤＩ、ＤＶＩ、ＵＳＢ、および／またはファイアワイヤ等のデジタル信号と共に、アナログＲＦ信号および／またはデジタルＲＦ信号の「オフエア」放送のための、米国のＦＣＣまたは国際放送仕様に準拠したＲＦ変調信号を含む信号（例えば、残留側波帯振幅変調、直交振幅変調、ＤＴＶ、ＡＴＳＣ、マルチレベルＶＳＢ、ＱＡＭマルチビット、ＰＳＫ、振幅変調、ＷｉＦｉ、ＷｉＭａｘ、および／または周波数変調）を処理することができる。【００１６】  一実施形態では、検出器は、ＳＤおよび／またはＨＤでのコンテンツ制御信号変更を示す信号（またはそのような変更がない信号）を出力する。この出力信号は、後に使用されてもよく、または使用されなくてもよい。例えば、変更が検出されると、出力映像信号または入力映像信号を特定の様式で変更、シャットダウン、または記録することができる（例えば、記録できない、特定の時間期間中、記録される、コンテンツ制御信号またはコピー保護信号が追加されて記録される、異なる解像度で記録される等）。【００１７】  別の実施形態は、１つまたは複数の入力アナログＴＶ信号および／またはデジタルＴＶ信号が装置に結合され、１つまたは複数の映像信号出力が装置から出力される装置である。この装置は、変更された入力映像信号（例えば、ある規格のコンテンツ制御信号および／またはコピー保護信号の少なくとも部分に結合する／を提供する別の規格の１つまたは複数のコンテンツ制御信号および／またはコピー保護信号の少なくとも部分を含む）を受信することができる。例えば、ＨＤ用のアナログおよび／または映像信号が、変更と共に、このような装置（例えば、トランスコーダ、Ａ／Ｄおよび／またはＤ／Ａ、クロスプラットフォーム規格コンバータ等）の入力に結合され、１つまたは複数の出力のＳＤ（またはＨＤまたはデジタル）信号への変更を生じさせることができる（またはこの逆）。【００１８】  コンテンツ制御の変更は、１つまたは複数の立ち上がりパルス、１つまたは複数の立ち下がりパルス、データ信号、１つまたは複数の不正確な色信号、映像信号の部分でのレベルシフト（例えば、正および／または負のレベルシフト）、１つまたは複数の同期パルス変更（例えば、位置、パルス幅、および／または振幅）、垂直ブランキング期間および／または水平ブランキング期間の少なくとも部分への追加信号、不正確な位相および／または周波数の少なくとも１サイクルの変更されたカラーバースト、映像信号の部分に追加／挿入された、１つまたは複数の制御ビット、１つまたは複数の構成ビット、および／または同様のものを含み得る、変調信号（変調信号は、直角変調、振幅変調、周波数変調、周波数ホッピング、ＰＣＭ、ＰＷＭ、ＰＰＭ、拡散スペクトル変調、ＰＳＫ、ＢＰＳＫ、ＦＳＫ、ＢＦＳＫ、および／または同様のものの任意の組み合わせを含み得る）の任意の組み合わせを含み得る。【００１９】  別の実施形態は、コピー保護に関して、１つまたは複数のＨＤ  ＴＶ規格に対する様々なＴＶ水平ブランキング期間信号の後部ポーチ（または前部ポーチ）変更を含む。これらＨＤ変更は、後部ポーチパルスに加えて、かつ／または後部ポーチパルスに代えて、ＴＶ信号後部ポーチ内に任意の数または一連の立ち上がり／立ち下がりパルス／信号を含み得る。例えば、１つまたは複数のＨＤ後部ポーチパルス（またはＨＤ疑似同期信号）は、リーダによる検出および／または下流コンテンツ制御のための符号化に使用することができる。
【図面の簡単な説明】
【００２０】
【図１】リーダ装置を示す。
【図２Ａ】エンコーダまたは変更器を示す。
【図２Ｂ】生成器または信号提供器を示す。
【図２Ｃ】スケーラまたはトランスコーダを示す。
【図３】変更器を示す。
【図４】回路、デバイス、装置、および／またはソフトウェアを示す。
【図５】信号および／または信号に対する変更を示す。
【図６】１つまたは複数のＨＤ信号に対する波形変更を示す。
【図７Ａ】色信号の変更を示す。
【図７Ｂ】色信号の変更を示す。
【図７Ｃ】色信号の変更を示す。
【図７Ｄ】色信号の変更を示す。
【図７Ｅ】色信号の変更を示す。
【図７Ｆ】色信号の変更を示す。
【図７Ｇ】色信号の変更を示す。
【図８Ａ】色信号の変更を示す。
【図８Ｂ】色信号の変更を示す。
【図８Ｃ】色信号の変更を示す。
【図８Ｄ】色信号の変更を示す。
【図８Ｅ】色信号の変更を示す。
【図９】色信号の変更を示す。
【図１０】回路および／またはソフトウェアプログラムの組み合わせを示す。
【図１１Ａ】カラーストライプ検出器または位相検出器を示す。
【図１１Ｂ】カラーストライプ検出器または位相検出器を示す。
【図１２Ａ】従来技術によるネットワークまたは分散システムを示す。
【図１２Ｂ】従来技術によるネットワークまたは分散システムを示す。
【図１３Ａ】マッピングおよび／または検出方法を使用する実施形態を示す。
【図１３Ｂ】マッピングおよび／または検出方法を使用する実施形態を示す。
【図１３Ｃ】マッピングおよび／または検出方法を使用する実施形態を示す。
【図１３Ｄ】マッピングおよび／または検出方法を使用する実施形態を示す。
【図１４Ａ】コンテンツ制御信号またはコピー保護信号を含むあるＴＶ規格から別のＴＶ規格への変換を示す。
【図１４Ｂ】コンテンツ制御信号またはコピー保護信号を含むあるＴＶ規格から別のＴＶ規格への変換を示す。
【図１５】様々なＴＶフォーマットおよびコンテンツ制御信号の行列形式のマッピング関係または関数を示す。
【図１６】様々なＴＶフォーマットおよびコンテンツ制御信号の行列形式のマッピング関係または関数を示す。
【図１７】様々なＴＶフォーマットおよびコンテンツ制御信号の行列形式のマッピング関係または関数を示す。
【図１８】様々なＴＶフォーマットおよびコンテンツ制御信号の行列形式のマッピング関係または関数を示す。
【図１９】様々なＴＶフォーマットおよびコンテンツ制御信号の行列形式のマッピング関係または関数を示す。
【図２０】異なるＴＶ規格に対する様々な信号変更の一例を表で示す。
【図２１】同じまたは異なるＴＶ規格からのコンテンツ制御信号マッピングの例を行列形式で示す。
【図２２】リーダまたは検出器をブロック図で示す。
【図２３】スケーラ（コンバータ）をブロック図で示す。
【発明を実施するための形態】
【００２１】詳細な説明
本発明によれば、ＴＶ信号内の制御ビットまたは構成ビットを使用して、１つまたは複数の変更をＨＤ、ＳＤ（標準精細）、または低精細（例えば、低精細は５２５本未満であり得る）映像信号に設定または提供することができる。例えば、以下の表において定義されるコンテンツ制御システムが、例示的な実施形態において使用される。
【００２２】
【表１】
2010539864.tif 000003
【００２３】  表１は、様々な制御管理状態を定義するために、本明細書に説明するように映像信号に挿入または提供されるＮ０［０］〜Ｎ０［７］と示された８デジタルデータビットセットを使用するコピー制御仕様を示す。１列目はビット番号（０〜７、但し、７は使用されない）を示す。２列目は、例えば、ペイツーテープ（ｐａｙ−ｔｏ−ｔａｐｅ）（ビット６）またはＭａｃｒｏｖｉｓｉｏｎ  Ｃｏｒｐ．により定義されたアナログ映像領域で動作する様々な周知のアナログ領域コピー阻止方式に関する制御管理状態を示す。全体が参照により本明細書に援用される米国特許第６，３８１，７４７号を参照のこと。３列目は、各ビットの有効性が「オン」（値１）であるか、それともオフ（値０）であるかを示す。４列目はＣＰＣ：コピー保護制御、すなわち、コマンドＣＰＣ［０］〜ＣＰＣ［３］を参照する。
【００２４】
【表２】
2010539864.tif 000004
【００２５】  表１ａは、従来技術での、ＮＴＳＣ  ＴＶ規格（５２５本線／フィールド、６０フレーム／秒）の場合の、表１のビット３であるＭａｃｒｏｖｉｓｉｏｎ  Ｃｏｒｐ．の周知のカラーストライププロセスのＮＴＳＣ映像波形に関するタイミング情報を示す（表１ａの「バースト」は映像カラーバーストを指す）。
【００２６】
【表３】
2010539864.tif 000005
【００２７】  表１ｂも同様に、表１の従来技術でのカラーストライププロセスの詳細を提供する。このプロセスは、従来通り、２（映像）本線および４（映像）本線フォーマットで使用される。「スプリットバースト」とは、カラーバーストの部分のみが変更されるカラーストライププロセス中の特徴を指す。表１ｂに定義されるようなカラーバーストプロセスは、図示のように選択された映像ラインに対してのみ存在する。
【００２８】
【表４】
2010539864.tif 000006
【００２９】
【表５】
2010539864.tif 000007
【００３０】  表２ａおよび表２ｂはそれぞれ、従来技術での、フィールド毎に６２５本線および５０フレーム／秒を有するＰＡＬ規格テレビ（米国外で一般的）の場合の表１ａおよび表１ｂと同様のものである。
【００３１】
【表６】
2010539864.tif 000008
【００３２】  表３は、各ライン（行）に、既知のＨＤＴＶフォーマット（標準）を示し、各列に、そのフォーマットに関連するパラメータを示す。列Ａ、Ｂ、Ｃ、Ｄ、Ｅ、Ｆ、Ｇは、図６に示す波形パラメータを指し、図６は、ＴＶ信号内の３値同期パルスの波形を示す。Ａは前部ポーチ持続時間を指し、Ｂは立ち下がり同期パルス持続時間を指し、Ｃは立ち上がり同期パルス持続時間を指し、Ｄは後部ポーチ持続時間を指し、Ｅは水平ブランキング期間持続時間を指し、ＦはアクティブＴＶライン持続時間を指し、Ｇはライン持続時間を指し、Ｘは（例えば、１つまたは複数の選択されたＴＶラインの）後部ポーチ領域の部分内の立ち上がりパルス持続時間を指す。したがって、例えば、「Ｘ」は、４０Ｔまたは４４Ｔの持続時間すなわちパルス幅のＢＰＰ（既知のＭａｃｒｏｖｉｓｉｏｎ  Ｃｏｒｐ．のコピー保護信号である後部ポーチパルス）を指す。但し、Ｔは１／［輝度サンプリング周波数］である。したがって、表３は、従来のコピー保護ＢＰＰ（後部ポーチパルス）信号がどのようにして様々なＨＤフォーマットで実装できるかの詳細な例である。したがって、表３は図６と共に、一種のコンテンツ制御信号（例えば、水平ブランキング期間内の後部ポーチパルスまたは立ち上がりパルス）をどのように様々なＨＤＴＶ規格で実装できるかの詳細な例を示す。他の種類のコンテンツ制御信号の変更は、表３にまとめられた様々なＨＤＴＶ規格で実装することができる。例えば、レベルシフト信号、変調波形／信号、有限持続時間の周期（または非周期）信号、立ち下がり信号もしくはパルス、任意のＨＤＴＶの少なくとも部分の削除／減衰、位置変更、スケーリング、またはブランキングを、コンテンツ制御として提供することができる。
【００３３】  一例では、表１、表１ａ、表１ｂの任意の（標準精細）信号変更または任意の変形（例えば、異なるライン割り振り、異なる数のパルス、カラーバースト変更、異なる位置、振幅、またはパルス持続時間等）の存在を使用して、コンテンツ制御信号のセットを別のＴＶ規格（例えば、ＨＤＴＶまたは表３に示す変更）にマッピングすることができる。例えば、入力ＨＤＴＶ信号内の１つまたは複数の変更を感知または読み取ることができ、それにより、対応する信号変更のセットを、標準精細ＴＶおよび／または低精細ＴＶ等の下流の精細度のより低い種類のＴＶ信号に適用することができる。
【００３４】  さらなる例としては、ＴＶ規格２４０ｐ、５２５Ｉ、または６２５Ｉ信号が（例えば、不正確な位相または周波数の）カラーバーストまたは副搬送波変更を含む信号が挙げられ、この信号は、高精細ＴＶ信号を提供することができる準拠システムに結合される。次に、この準拠システムは、非ＨＤＴＶ規格である信号内のカラーバーストまたは副搬送波変更を感知すると、変更されたＨＤＴＶ信号（例えば、１つまたは複数のＴＶライン内にブランキング期間、周期信号または非周期信号、立ち下がりパルスおよび／または立ち下がりパルスが提供されたＨＤＴＶ信号）を提供することができる。別の例では、準拠システムは、信号変更（例えば、ブランキング期間内の信号またはパルス等）を含むＨＤＴＶ信号を受信することができ、この特定の準拠システムは、カラーバーストまたは副搬送波変更を含み得る非ＨＤＴＶ信号を提供することができる。これらの例では、カラーバーストまたは副搬送波変更を、疑似同期パルス、ＡＧＣパルス、幅縮小同期パルス、レベルシフトされたパルス（静的および／または動的）等の他のコピー保護信号で置換してもよいことに留意する。
【００３５】  図１は、本明細書に説明するように、端子１１においてＨＤ（またはＳＤ）ＴＶ信号に対するコピー制御変更を検出し、読み取り、かつ／または解釈するリーダ１０をブロック図で示す。例えば、リーダ１０は、入力ＳＤ  ＴＶ信号内で、少なくとも１つの後部ポーチパルス、疑似同期パルス、不正確な位相の色信号、不正確な周波数の色信号、不正確な色信号、不正確な輝度信号、上昇または下降した映像部分（例えば、前部ポーチエリアおよび／または後部ポーチエリア）、および／または追加信号の周波数を、ＨＤ信号への同様の変更を読み取る能力も有しながら、感知または読み取ることができる。リーダ１０は、アナログおよび／またはデジタルの（ＴＶ）信号を受信して検出または解釈するために結合することができる。リーダ１０は、アナログＨＤ／ＳＤ信号を１つまたは複数の種類のデジタル信号に変換する装置内またはその部分に埋め込むことができる。リーダ１０を利用して、入力映像から読み取ったコピー制御信号またはデータに従って記録、送信、および／または表示を阻止する１つまたは複数のコマンドを含む映像信号を端子１２において送信することにより、コンテンツ制御を制御することができる。リーダ１０は、出力映像上に、デジタル出力信号に影響する信号を含むか、または「フラグ」信号を含むことができる。
【００３６】  リーダ１０からの出力信号は、コンピュータ、レコーダ、プレーヤ、ネットワーク、エンコーダ、映像圧縮器、および／または映像圧縮解除装置の入力端子に結合または結び付けることができる。端子１０におけるリーダ１０の出力信号は、記録、表示を制限するか、または表示／記録解像度を変更する、コンピュータ、レコーダ等に送信されたコマンドまたは制御を含み得る。本質的には、端子１２におけるリーダ１０の出力信号は、コンピュータ、レコーダ、プレーヤ、ネットワーク、エンコーダ、映像圧縮器、および／または映像圧縮解除装置の制御入力端子に結合される。例えば、リーダ１０を利用して、低、標準、および／または高精細信号の形態であり得る、端子１１における信号入力を解釈することに基づいて、装置内での記録、記憶、送信、圧縮解除、および／または再生を制限することができる。
【００３７】  図２Ａは、符号化装置２０を同様のブロック図で示し、符号化装置２０は、例えば、１つまたは複数のＨＤＴＶ規格（および／または１つまたは複数のＳＤ（標準精細）またはＬＤ（低精細）規格）に準拠した端子２１における映像信号入力に対して、図１を参照して上述した変更を符号化することができる。変更信号は、１つまたは複数の構成ビットまたは制御ビットにより、かつ／または入力アナログ信号から変更および／またはデータを読み取ることによりトリガまたは命令することができる。例えば、エンコーダ２０は、コマンドに基づいてＨＤ信号に対する任意の変更を符号化することができる。このコマンドは、例えば、１つまたは複数の構成ビットからであってもよく、かつ／またはＬＤ、ＳＤ、および／またはＨＤのアナログ（またはデジタル）信号からリーダ１０を介して読み取られた変更からであってもよい。
【００３８】  一例では、エンコーダ２０は、変更を端子２２におけるＨＤ、ＳＤ、および／またはＬＤ信号出力に提供する能力を有する。例えば、エンコーダ２０は、カラーバーストまたは副搬送波変更、ＡＧＣパルス、パルス、同期の幅または振幅の変更、水平ブランキング期間変更、ならびに／あるいはＬＤおよび／またはＳＤ  ＴＶ規格でのレベルシフトを提供することを含み得、ＨＤでは、３値同期信号に変更を提供すること、１つまたは複数の水平または垂直ブランキング期間内に立ち上がりパルスを挿入／生成することを含み得る。
【００３９】  図２Ｂは、入力端子３１および出力端子３２を有し、例えば、立ち上がり信号および／または立ち下がり信号、同期変更、色信号変更等の様々な信号を生成する生成器３０のブロック図を示す。生成器３０はエンコーダ２０の部分であってもよい。エンコーダ２０は、ＬＤおよび／またはＳＤ  ＴＶ規格の１つまたは複数の副搬送波周波数ならびに／あるいは同期位置、持続時間、割り当て、および振幅パラメータを提供する副搬送波および／または同期の処理を含んでもよい。生成器３０またはエンコーダ２０は、データ、送信、入力、および／または記憶方法により更新可能なプログラム可能性を含み得る。このプログラム可能性により、新たなコンテンツ制御信号またはコピー保護信号を提供することができるオーバークロスプラットフォームまたはＴＶ規格が可能になる。更新された信号変更は、システムオペレータにより、または送信、データファイル、および／または制御ビットを介して開始することができる。プログラム可能特徴は、リーダ１０にも適用することができる（例えば、新たな変更またはコンテンツ制御信号が実施された場合、リーダをそれに従って更新して、任意の新たなコンテンツ制御信号または信号変更を追跡、解釈、または感知できるように）。したがって、リーダ１０は、クロスプラットフォーム（例えば、複数のＴＶ規格またはＨＤＴＶ規格またはＨＤＴＶ規格およびその他のより低解像度のＴＶ規格）用のプログラム可能なリーダであり得る。
【００４０】  図２Ｃは、入力端子４１および出力端子４２を有するスケーラ（トランスコーダ）４０を示し、スケーラ４０は、４１における入力映像信号を出力端子４２における異なるＴＶ規格信号に変更できるようにする。スケーラは、従来通り、ライン、ピクセル、および／またはフィールドレートを変更し得る。あるいは、スケーラ４０は、同じラインおよび／またはフィールドレートを保持し、色基準を変更し得る。ブロック４０は、アスペクト比を変更し、かつ／またはレターボックスフォーマットを呼び出し得る。
【００４１】  図３は、映像信号変更器装置５０の一例をブロック図で示し、映像信号変更器装置５０は、制御論理５６から端子５３において付与されるｎビット制御信号および／または論理５８から端子５４において付与されるｎビット制御信号により制御可能である。変更器５０の出力信号は端子５２にある。
【００４２】  図４は、１つまたは複数の入力信号ＩＮ（１）、・・・、ＩＮ（ｎ）を入力端子６１、・・・６２で受信し、１つまたは複数の出力信号ＯＵＴ（１）、・・・、ＯＵＴ（ｎ）を端子６３、・・・、６４に出力することができるデバイスまたは装置６０の一例を示す。装置６０はリーダ、デコーダ、および／またはエンコーダであることができる。入力／出力信号は、例えば、デジタル映像データ、ＲＦ映像信号、ベースバンド映像信号、または変調映像信号である。
【００４３】  一実施態様では、例えば、ＡＴＳＣチューナ、セットトップボックス、セル（携帯）電話（例えば、ＤＴＶ、ＨＤＴＶ、またはＡＴＳＣ信号を受信するセル電話）、ＷｉＦｉ、またはＷｉｍａｘ装置である装置６０は、ＲＦ（無線周波）信号を受信する。ＲＦ形態のプログラム映像およびコンテンツ制御コマンドを受信すると、装置６０は、ルックアップテーブルから複数のまたはクロスプラットフォームのＴＶ規格（例えば、ＨＤＴＶコンテンツ制御（またはコピー保護もしくは弱化されたコピー保護）信号にＳＤまたはＬＤコピー保護（コンテンツ制御）信号を加えたもの）用のコンテンツ制御信号を出力するか、またはマッピング関数を実行してそれらコンテンツ制御信号を提供する。ＨＤＴＶコピー保護信号の一例は、誤った利得（例えば、ＡＧＣエラーもしくはクランプエラー）をＨＤ装置に提供させる信号および／または確実ではないタイミングもしくは同期（例えば、ラインまたはフィールド／フレームジッタまたはテアリング現象）をＨＤ装置に生じさせる信号である。ＨＤコンテンツ制御信号は、準拠装置により読み取られるか、または感知されて、コマンド（例えば、シャットダウン、映像または音声の品質変更、プログラムの使用制限、スクランブリング等）をアサートする信号を含み得る。
【００４４】  別の例では、装置６０は、より低解像度の規格に準拠したテレビ信号を受信するが、より高解像度の規格の映像信号を出力するか、またはこの逆を行う。例えば、より低解像度の信号が２４０走査線／フィールドであり、この信号が装置６０に提供された場合、装置６０の出力信号は、スケーリングの実行により４８０本、７２０本、または１０８０本の走査線を有する映像信号であり得る。そうしてスケーリングされる出力映像信号のうちの１つまたは複数は、コンテンツ制御信号、コピー保護信号、または弱化されたコピー保護信号を含み得る。
【００４５】  コンテンツ制御信号が、コピー保護信号の任意の部分または「弱化された」コピー保護信号の任意の部分を含み得ることに留意する。弱化されたコピー保護信号とは、従来のコピー保護効果がほとんどまたは全くない信号であり、例えば、ＶＣＲに対して彩度コピー保護効果がほとんどまたは全くないことを意味する、従来のＶＣＲ（ビデオカセットレコーダ）に対してほとんどまたは全く影響しないカラーバーストまたは副搬送波変更（例えば、不正確な位相および／または周波数）を有する信号またはＶＣＲに対してＡＧＣ効果がほとんどまたは全くないＡＧＣおよび／または疑似同期パルスを弱化したものを有する信号である。しかし、弱化された信号はそれでもやはり、検出器回路により検出し、コンテンツ制御に使用することができる。
【００４６】  図５（上部）は、ＨＤ、ＳＤ、およびＶＧＡである様々な映像規格（表の列）に準拠した映像信号に適用可能な様々なコピー保護信号変更を表形式で示す。表の下部は、ＨＤ、ＳＤ、およびＶＧＡに準拠した周知の入力／出力映像信号の種類の例を示す。
【００４７】  図６（上記で参照された）は、１つまたは複数のＨＤまたは３値同期水平映像信号への立ち上がりパルスおよび／または立ち下がりパルスの挿入／追加を示す映像波形の一例を示す。追加された立ち上がりパルスは「Ｘ」で示され、オーバースキャン領域の部分（例えば、後部ポーチ領域または水平もしくは垂直ブランキング期間の部分）に配置される。図６中、パルスＸは、立ち上がりパルスまたは可変もしくはプログラム可能な持続時間、位置、もしくは振幅を有する信号である。図６には、立ち下がりパルス、すなわちｚと示された信号も示され、この信号は、映像信号のオーバースキャン部分に生成または提供することができる。オーバーシュートまたは追加の信号ｚ１をパルスＸに追加してもよいことに留意する。表３および図６には、パルスｚ、ｚ１、およびＸに規格値の振幅、位置、および／または持続時間が提供されるが、他の値を提供または使用してもよい。
【００４８】  図８Ａは、従来の映像カラーバースト波形を示す。図７Ａ〜図７Ｇ、図８Ｂ〜図８Ｅ、および図９は、当分野において概して既知であり、Ｍａｃｒｏｖｉｓｉｏｎ  Ｃｏｒｐ．により一般に「カラーストライプ」プロセスと呼ばれている、このような従来の映像カラーバースト信号を変更する既知の例示的な様々な種類のコピー保護の波形を示す。これら波形は、一般に、図８ＡのＴＶ信号水平ブランキング期間内の従来通りのカラーバーストに対する変更である。図示の斜線がかかったエリアは、図９に説明するように、カラーバーストに対する位相、持続時間、振幅、および／または周波数の変更を示す。図１のリーダ１０は、位相、持続時間、振幅、および／または周波数の変更のインジケーションを検出する。例えば、これら波形のうちの任意の波形を、その他の部分は１つまたは複数のＳＤＴＶ規格に準拠した映像信号内で感知または検出することができ、それにより、ＨＤＴＶ規格での対応する映像信号において、ＨＤＴＶ信号が変更される（例えば、対応するＨＤＴＶコンテンツ制御信号を使用して）か、またはＨＤＴＶ信号が、ＨＤＴＶ信号の記憶の制限、ＨＤＴＶ信号のアクセスの制限、もしくはＨＤＴＶ信号の品質の制限等のコンテンツ制御を受けて送信、表示、もしくは記録される）。逆に、コンテンツ制御信号またはコピー保護信号（またはフラグ）があるか、またはないＨＤＴＶ信号が検出された場合（例えば、準拠システムにおいて）、図７Ａ〜図７Ｇ、図９に示すような任意の波形（または変形）を含むか、または別のコンテンツ制御信号もしくはコピー保護信号（例えば、疑似同期パルス、ＡＧＣパルス、幅縮小同期パルス、または弱化されたコピー保護信号）を追加したＨＤＴＶ信号をより低解像度で出力することができる。
【００４９】  図１０は、大半は従来通りのＴＶセットトップボックスである装置８０の場合の装置の一例をブロック図で示す。これは、携帯電話、ＰＤＡ、またはその他のネットワーク接続された装置の部分であってもよい。一実施形態では、装置２０は、ＳＤＴＶ出力およびＨＤＴＶ出力の両方を提供する。装置８０から出力された低精細ＴＶ信号には、ＳＤ信号出力またはＨＤ信号出力を提供することができる。各ＴＶ規格（例えば、ＨＤを含む）について、構成ビットまたはハードウェアが、コンテンツ制御信号を決定する。構成ビットは、複数のプラットフォームまたはＴＶ規格にわたってコンテンツ制御信号を適用するために、記憶、送信、プログラム、または入力することができる。例えば、ＳＤの種類の出力信号は、１つまたは複数のＡＧＣパルス、疑似同期パルス、幅縮小もしくは幅拡大された同期パルス、変更された副搬送波信号を１つまたは複数のＨＢＩもしくはＶＢＩ、ＢＰＰ、レベルシフト部分、またはデータ信号内に含み得る。
【００５０】  装置８０は、従来通り、デジタル圧縮入力ＴＶまたは映像を受信する入力端子８２と、復調器８４と、デマルチプレクサ８６と、デコーダ８８と、条件付きアクセスシステムモジュール９０と、プロセッサ（ＣＰＵ）９２と、メモリ９４と、記憶ソフトウェアアプリケーション９６および電子プログラムガイド９８と、構成用のフラッシュメモリ１００と、音声処理回路１０８と、音声出力端子１１０とを含む。大半が従来通りであるが、本発明により、コピー保護を決定する構成ビッド１０６、制御レジスタ、コピー保護（「ＡＣＰ」）１０２を決定するオン／オフモードビット１０８、および示された３種類の映像の映像出力端子１１１も有するＮＴＳＣ／ＰＡＬ  ＴＶエンコーダ１０４も提供される。
【００５１】  例えば、装置８０から提供されるＨＤ信号は、ＢＰＰ、データ信号、立ち下がり信号、立ち下がりパルス、立ち上がり信号、立ち上がりパルス、ならびに／あるいは輝度チャネルおよび／または彩度チャネルへの変更を含み得る。例えば、カラーバースト（または副搬送波）変更がコンポジット信号またはＳ映像信号に適用される場合、Ｐｂおよび／またはＰｒ（色、例えばＲＧＢ）の変更あるいはコンポーネント映像出力の色差チャネルの変更を、例えば、ＨＤＴＶ規格またはプログレッシブＴＶ規格、例えば、４８０ｐ、５７６、７２０ｐ、１０８０ｐにおいて、またはインタレースコンポーネントＴＶ規格において提供することができる。Ｐｂチャネルおよび／またはＰｒチャネルの変更の一例は、レベル変更であるか、または１つもしくは複数の色チャネルもしくは色差チャネルのＨＢＩ、ＶＢＩ、もしくはオーバースキャン領域の部分内への波形提供である。あるいは、カラーバースト変更または副搬送波変更がコンポジット映像またはＳ映像において感知された場合、コンテンツ制御信号をＨＤＴＶ信号のＹチャネルまたは輝度チャネル内に提供することができる。
【００５２】  図１１Ａは、図７および図８のカラーバースト変更を検出することにより、本発明による映像信号の変更を実施する既知の種類の装置をブロック図で示す。図１１Ａの装置は、従来通り、Ｍａｃｒｏｖｉｓｉｏｎ  Ｃｏｒｐ．カラーバーストコピー保護信号（図７および図８に示される）を検出するために、カラーストライプ（ライン）ロケーションメモリ１１２、発振器１１６、および位相検出器１１８を含む。変更回路１２２が、期待される入力信号を受信すると、「映像出力」端子に変更された映像信号を出力する。
【００５３】  位相検出器１１８は、他の実施形態では、ＡＧＣパルス、疑似同期パルス、オーバースキャン領域内の不正確な色周波数、スケーリング効果等を検出するコピー保護変更検出器で置換される。このような変更検出器は、例えば、カラーストライプ信号または不正確な色周波数信号を感知し、不正確なカラー副搬送波またはバースト信号の存在を示す信号を提供する。インジケーション信号は、コピー保護信号、弱化されたコピー保護信号、制御ビット、またはコンテンツ制御信号を高精細映像信号に挿入または生成する別の回路を駆動する。図１１Ｂは、従来の位相検出器１１８の回路詳細を示す。
【００５４】  図１２Ａおよび図１２Ｂは、セットトップボックス、セル電話、ＰＤＡ等を含むことができる、従来技術によるデジタルネットワーク環境の図例を示す。ここで、デジタルネットワークは、標準精細信号および高精細信号を提供することが可能であり、各ＴＶ規格は、プログラムされたコンテンツ制御信号を有する。このようなデジタルネットワークは、モード、ＡＰＳ、ＥＣＭ／ＥＭＭ、および／または構成ビット等のコマンドを送信して、高精細ＴＶまたは高精細ＴＶ＋別のＴＶ規格のコンテンツ制御信号をイネーブルまたはディセーブルするか、または異なる形態、程度が可変、もしくは無効化されたコンテンツ制御信号を適用することが可能である。現在、アナログＨＤコンテンツ制御信号は商業的に実施されていない。図１２Ａ、図１２Ｂの環境内で使用される本発明の一実施形態は、ＳＤおよびＬＤ等の異なるＴＶ規格のコンテンツ制御信号と共に、ＨＤアナログコンテンツ制御信号を含む。これは、一例は、ＨＤの１セットのコンテンツ制御信号ならびにＳＤおよび／またはＬＤＴＶ規格の別のセットのコピー保護信号を実装するチップまたは装置である。現在、市販の装置で、米国特許出願公開第２００６／００９１３４０号に開示されているコンテンツ制御信号を実装したものはない。このような装置は、コンテンツ制御信号を使用したＨＤ規格および別のＴＶ規格との互換性を含み、一般に、本発明により、異なるコンテンツ制御信号のセットが各ＴＶ規格に使用される。
【００５５】  図１３Ａ、図１３Ｂ、および図１３Ｄでは、装置５０１、５０２、および５０４は、少なくともＨＤアナログコンテンツ制御信号を含む複数のＴＶ規格コンテンツ制御信号を提供し、かつ／または検出する、本発明による装置の各例である。入力映像信号（デジタルまたはアナログ）は装置５０１に結合され、入力制御タイプ信号ＣＰにより、様々なＴＶ規格のコピー保護信号および／またはコンテンツ制御信号が提供される。それにより、装置５０１は、他のＴＶ規格とのアナログＨＤコピー保護またはコンテンツ制御を可能にする。装置５０１は、一実施態様では、異なる種類のＴＶ解像度の異なる種類のコピー保護信号またはコンテンツ制御信号との互換性を含む。しかし、装置５０１は一般に、各ＴＶ解像度セットに、プログラム可能または事前設定可能なコンテンツ制御信号またはコピー保護信号の制御を独立して提供することができる。例えば、１つの解像度セットは、ＬＤ、ＳＤ、および／またはＨＤの任意の組み合わせを含み得る。一例は標準精細および高精細を有することであるが、その他の組み合わせも可能である。
【００５６】  装置５０１内の様々なコピー保護信号および／またはコンテンツ制御信号のマッピング関数またはプログラム可能性は、送信、入力、または記憶方法を介して更新することができる。制御タイプ信号ＣＰは、１つまたは複数のモード、ＡＰＳ、および／または構成ビットを含み得る。信号ＣＰは、ＣＧＭＳまたは同様のもの等の映像ソースからのデータを読み取る機能であることもできる。標準精細テレビ用の従来技術では、コピー保護波形は、デジタルファイル、送信ファイルを介して、またはデータをセットトップボックスもしくは準拠装置に入力することにより、更新することができる。この特徴は、ここでは、装置５０１内で実施されて、ＨＤアナログコンテンツ制御信号を同様の様式で変更する。
【００５７】  図１３Ｂでは、装置５０２は、装置５０１のマッピング関数への、アナログ信号および／またはデジタル信号を検出する検出器ＤＥＴの包含を示す。それにより、装置５０２は、例えば、１つの特定のＴＶ規格のＴＶ信号および対応する関連のコピー保護信号を検出し、装置５０２の出力は、ＨＤＴＶ用のアナログコンテンツ制御信号を提供する。あるいは、装置５０２は、アナログコンテンツ制御信号を有するＨＤＴＶ信号を受信し、ＳＤまたはＬＤのＴＶ規格に準拠したコピー保護信号またはコンテンツ制御信号を出力し得る。例えば、特定数の後部ポーチパルスをＨＤ信号から読み取ると、装置５０２に、スケールダウンされたＳＤおよび／またはＬＤ信号のために、ＡＧＣ、疑似同期、カラーストライプ、幅縮小同期、映像の下降部等の任意の組み合わせを出力させ得る。別の例示では、装置５０２は、ＡＧＣ、疑似同期、カラーストライプ、幅縮小同期、映像の下降部等の任意の組み合わせを有するＳＤまたはＬＤのＴＶ信号を受信し、次に、アナログＨＤ信号内の特定の場所に、かつ／または特定の数の後部ポーチパルスを有するＨＤ信号を出力し得る。
【００５８】  装置５０２は、ある種類のコンテンツ制御信号のＨＤ信号の受信および別のコンテンツ制御信号のＨＤの出力を可能にする。一例では、装置５０２は、あるＴＶ規格の特定のコピー保護信号またはコンテンツ制御信号を検出するが、１つまたは複数の異なるＴＶ規格のＴＶ信号を出力する。これら異なるＴＶ規格のうちの任意の規格は、例えば、独立または依存して、事前設定可能またはプログラム可能なコンテンツ制御信号またはコピー保護信号を有し得る。装置５０２は、入力映像と同じ種類の解像度または入力をスケーリングしたものを有する映像を出力することもできる。一例では、標準精細映像信号が装置５０２に入力され、装置５０２の出力は、コンテンツ制御波形または信号のセットを有する高精細映像信号である。例えば、装置５０２への入力信号が、疑似同期／ＡＧＣパルス、ＡＧＣパルス、幅縮小同期、および／またはカラーストライプバースト信号を有するＮＴＳＣフォーマットである場合、装置５０２の出力は、後部ポーチパルスまたはＨＢＩ（水平ブランキング期間）信号を有する高精細コンポーネント映像（ＲＧＢまたはＹ、Ｐｂ、Ｐｒ等）であり得る。
【００５９】  装置５０２の一例は、ＨＤ映像信号または３値同期映像信号の部分内の追加信号について以下のうちの１つまたは複数を検出する検出器を含む回路または装置である。すなわち、Ａ）オーバースキャン領域内の立ち上がりパルスまたは立ち下がりパルス、Ｂ）ＨＤ映像信号または３値同期映像信号の部分内に提供される波形、Ｃ）ＡＧＣ（または疑似同期または同期）パルスの位置および／またはパルス幅、Ｄ）ＡＧＣ（疑似同期または同期）パルスの振幅、Ｅ）３値または２値であり得る疑似同期パルスの検出、Ｆ）ＡＧＣパルス、疑似同期パルス、または追加波形のライン／フィールド／フレームの位置の計数および／または識別）、Ｇ）後部ポーチまたはＡＧＣ信号検出器、Ｈ）後部ポーチまたはＡＧＣパルス／信号カウンタ、ならびにあるいは非ＨＤ映像信号または非３値同期映像信号に関して、以下のうちの１つまたは複数。すなわち、１）カラーバースト変更検出器（カラーストライプ検出器等、２）カラーバースト振幅（振幅変更）検出器、３）周波数検出器（例えば、不正確なカラー（または音声）副搬送波周波数または関連するＴＶ規格の不正確な（カラーおよび／または音声）副搬送波周波数を検出する装置または回路）、４）疑似同期パルス検出器、５）ＡＧＣパルス検出器、６）追加／生成された波形（例えば、オーバースキャン領域の部分内の１０ＫＨｚ〜１０ＭＨｚの範囲内）の検出器、７）前部ポーチおよび／または後部ポーチのレベルシフト（立ち上がりおよび／または立ち下がり）部分の検出器、８）同期／疑似同期持続時間検出器、同期／疑似位置検出器、同期／疑似振幅検出器、１つまたは複数のコンポーネント映像チャネルの追加／生成された信号の検出器（オーバースキャン領域内またはブランキング期間の部分内に提供される立ち上がりおよび／または立ち下がりのパルス／信号／波形）、映像信号の削除部分の検出器。
【００６０】  装置５０２は、デジタル信号および／またはアナログ信号を受信し、ＡＣＰ（例えば、ＨＤ信号、非ＡＣＰ信号、または非有効ＡＣＰ信号に対する変更）の形態のＨＤ規格を提供すると共に、ＳＤ、ＬＤ、またはコンポジット（ＰＡＬ、ＳＥＣＡＭ、またはＮＴＳＣ）等の非ＨＤである映像信号を提供する符号化（またはコーダ−デコーダ−コーデックの部分の）装置または回路であり得る。５０２がコンポジットＨＤまたは多重化されたコンポーネント信号の形態を提供し得ることに留意する。装置５０２の部分は、ＨＤ規格およびその他のＴＶ規格のコンテンツ制御、コピー保護、またはＡＣＰの信号またはビットを検出する検出器ＤＥＴである。
【００６１】  別の例では、後部ポーチ、ＨＢＩ（水平ブランキング期間）、ＡＧＣ、または疑似同期信号を有する高精細コンポーネント映像信号が、装置５０２に入力され、装置は、カラーストライプ信号、疑似同期、同期幅縮小、および／または後部ポーチ信号を有するコンポジット映像信号を出力する。ここでは、カラーストライプ信号は一般に、１つまたは複数のＨＢＩに挿入または追加されたカラーバーストの１つまたは複数のサイクルであり、不正確なパルスまたは周波数のものである。カラーストライプ信号は、ここでは、実際のコピー保護効果を有してもよく、または有さなくてもよい。
【００６２】  図１３Ｃの従来の装置５０３は、あるＴＶ規格から別のＴＶ規格に、例えば、ＳＤフォーマットからＨＤフォーマットに、またはこの逆にトランスコード（変換）する当分野において周知の従来のスケーリング機能を実行する。ＳＤフォーマットは、ＰＡＬ、ＳＥＣＡＭ、ＮＴＳＣ、４８０ｐ、および／または５７６ｐを含み得る。ＨＤは、インタレースフォーマットまたはプログレッシブフォーマットを含み得る。このようなスケーリングは、セットトップボックスおよびデジタルメディアプレーヤ内で従来通りに実行される。
【００６３】  図１３Ｄに示す別の実施形態では、標準および／又は高精細にスケーリングされた従来の低精細映像ソース５０４（制御タイプ信号を含む）は、映像信号を装置５０５に供給する。装置５０５は、特に、２４０ｐフォーマットまたはセル電話、携帯ゲームプレーヤ、ｉＰｏｄ等の様々な携帯装置から提供される種類の映像信号等の低精細ＴＶ信号ソース５０４と協働することを意味する。装置５０５の一例は、低精細映像信号（それどころか、ソース５０４からの２０フレーム／秒または１５フレーム／秒等の低減されたフレームレートを有する）を受信し、１つまたは複数のコンテンツ制御信号のセットを有するＨＤＴＶ信号またはＨＤおよびＳＤのＴＶ信号にアップコンバートする。低精細信号は、１セットのコンテンツ制御信号またはコピー保護信号を有し得、ＳＤのマッピング（例えば、マッピング関数「Ｓ」）関数またはＨＤのマッピング（例えば、マッピング関数「Ｈ」）関数を介して、装置５０５の映像出力は、事前プログラムされたＳＤおよびＨＤのコンテンツ制御信号および／またはコピー保護信号を有し得る。
【００６４】  図１４Ａは、検出器／エンコーダ（コピー保護信号またはコンテンツ制御信号を検出すると共に、トランスコードもする）と、ＡＣＰマッピング関数（例えば、ルックアップテーブル）とを有して、マッピングされたコンテンツ制御信号および／またはコピー保護信号（ＳＤまたはＨＤで含まれ得る）を有するＴＶ規格Ｂ、Ｃ、Ｄ等に準拠した信号を出力する装置５１１に結合された信号ソース５１０からのＴＶ規格Ａに準拠した信号の一般例を示す。ソース５１０は、例えば、特定のＴＶ規格に準拠したＤＶＤプレーヤ、チューナ、セットトップボックス、インターネット等である。通常、出力信号はＨＤであり得、それにより、装置５１１はＨＤ信号を関連するコピー保護信号のセットを有する別のＴＶ規格（例えば、疑似同期信号、カラーストライプ、またはＡＧＣ信号を有するＬＤにスケーリングすることができる。あるいは、ソース５１０は、ＤＶＤプレーヤ、チューナ、セットトップボックス、インターネットを介して提供される、ＰＡＬ、ＮＴＳＣ、またはＳＥＣＡＭ等のＨＤ以外の信号を出力し得、装置５１１は、ＡＣＰマッピング関数を介してコンテンツ制御信号のセットを有するＨＤ規格（１０８０ｐ、１０８０ｉ、７２０ｐ、他のＨＤフォーマット、またはＶＧＡ／スーパーＶＧＡ規格）にスケーリングする。それにより、図１４Ａは、ソース５１０からのＮＴＳＣ等のある規格のＴＶ信号がどのように、本発明による装置５１１に結合されるかを示す。装置５１１では、検出器は、ソース５１０からの任意のコピー保護信号またはコンテンツ制御信号を感知する。これらコンテンツ制御信号は、ＡＰＳビット、構成ビット、またはモードビット、あるいは疑似同期、幅縮小同期、ＡＧＣパルス、カラーバースト変更等のＡＣＰ信号のサブセットを含む。装置５１１内で、ソース５１０のコンテンツ制御信号および／またはＡＣＰ信号からの１つまたは複数の要素が検出されると、後述するようなＡＣＰマッピング関数であって、｛装置５１０のＡＣＰ信号｝の「ｆ」が、「ｇ」｛ＡＣＰ信号｝ｎ−１のセットにマッピングされ、「ｇ」は一般に、（ソース５１０の）異なる各ＴＶ規格の新しいコンテンツ制御信号および／またはＡＣＰ信号のセットを表す。この例では、ソース５１０はＮＴＳＣフォーマットに準拠するものとして解釈されるため、マッピング関数「ｇ」は、出力されるＨＤＴＶ規格のそれぞれに関連するコンテンツ制御信号またはコピー保護信号のセットを有する７２０ｐ、１０８０ｉ、および／または１０８０ｐのＨＤＴＶ信号を出力し得る。
【００６５】  図１４Ｂでは、映像信号ソース５２０は従来のプログラムソースであり、装置５２１は、スケーリング装置およびエンコーダ５２１にリンクまたは結合されたソース５２０からの映像信号を示し、コンテンツ制御信号および／またはコピー保護信号を有する新しいＴＶ規格を提供する実施形態である。装置５２１は、異なるＴＶ規格の変換がＡＣＰ信号またはコンテンツ制御信号の異なるセットを使用して行われる場合、装置５１１のＡＣＰマッピング関数を含む。
【００６６】  上述した本発明の実施形態の機能を表現する一般的な方法は、論理的に、ｆ（ＴＶ規格０，｛ＡＣＰ信号｝）→ｇ（ＴＶ規格１−ｎ，｛ＡＣＰ信号１−ｎ｝）である。ここでは、例えば、ＡＣＰ信号のセット「０」を有するＴＶ規格「０」は、「ＡＣＰ」信号の１つまたは複数のセット「１−ｎ」を有するＴＶ規格「１−ｎ」に変換される。ＡＣＰ（アンチコピープロセス）は、コピー保護信号、弱化されたコピー保護信号、映像信号変更、および／またはコンテンツ制御信号を指す。ここで、ｎ＝ＴＶ規格の数である。例えば、上記の表３は、２４個のＴＶ規格を示すため、ｎ＝２４であり、または０〜２３と記されたＴＶ規格が２４個のＴＶ規格をもたらす。「ｆ」は一般に、最初のＴＶ規格を関連するＡＣＰ信号またはコンテンツ制御信号と共に指し、最初のＴＶ規格は、少なくとも１つの異なるＴＶ規格および関連するＡＣＰ信号またはコンテンツ制御信号のセットである「ｇ」にマッピングされる。装置５２１において、ＡＣＰ信号のセットは、異なるＡＣＰ信号、弱化されたＡＣＰ信号、またはＡＣＰ信号が無効化／除去されたものであり得る。したがって、装置５２１は、ＨＤを含むＡＣＰ信号の様々なセットを処理するエンコーダまたは「ブラックボックス」（例えば、無効化装置）の両方を表す。例えば、装置５２１は、疑似同期および／またはカラーストライプＡＣＰを有するコピー保護されたＮＴＳＣ映像を受信し得、コンテンツ制御信号またはコピー制御信号のないＨＤ信号またはＰＡＬ信号を生成する。
【００６７】  図１５〜図１９は、上記で参照した「ｆ」および「ｇ」の特定のＴＶ規格を行列図で示す。これらの図は、新しいベクトルセットにマッピングされる数学的ベクトルを示す。すなわち、図１５〜図１９は、信号が数学的にどのように信号ベクトルとして表されるかおよび信号ベクトルが図１４Ａおよび図１４Ｂでのようにどのように変換されるかを示す。図１５〜図１９のそれぞれのＡＣＰ信号は、１つまたは複数のコンテンツ制御信号、１つまたは複数のコピー保護信号、１つまたは複数のコピー保護強化信号（例えば、同期変更、映像信号の部分のレベルシフト、切り込み同期パルス）、カラーバースト変更（例えば、不正確な位相、持続時間、振幅、および／または周波数の）、弱化されたコンテンツ制御信号、弱化されたコピー保護信号、データ信号、変更されたデータ信号、映像信号の部分内に追加／生成された波形、無効化されたコンテンツ制御信号（またはコンテンツ制御信号なし）、無効化されたコピー保護信号（またはコピー保護信号なし）、および／または無効化されたコピー保護強化信号（またはコピー保護強化信号なし）を含み得る。例えば、元の信号が、ＡＧＣ／ＰＳ信号を含むＮＴＳＣである場合、ＶＧＡ信号は、ＶＧＡ映像信号の緑色チャネル内の選択されたラインにＡＧＣ／疑似同期信号を含み得る。ＰＡＬまたはＮＴＳＣからのＡＧＣ／疑似同期信号の場合、出力ＨＤＴＶ信号は、選択された水平ブランキング期間内にＡＧＣパルスを有することになるが、任意の疑似同期パルスを必ずしも有する必要はない。
【００６８】  この開示を踏まえて、上述したように、あるＴＶ規格の映像コンテンツ制御信号またはコピー保護信号を受信し、次に、その映像を、コンテンツ制御信号またはコピー保護信号を除去した別のＴＶ規格に変換するチップまたは装置を設計し作成することは、慣行的なエンジニアリングである。すなわち、チップまたは装置は、ＡＰＳビット、アナログコピー保護信号、またはコンテンツ制御信号を無視し、誰かが使用する新しいＴＶフォーマットに変換することができる。例えば、無効化されたＡＣＰ信号（ＡＣＰ信号が弱化または除去されたことを意味する）の場合、あるＴＶ規格のシステムは、別のＴＶ規格に変換可能な少なくともいくつかの種類のコピー保護またはコンテンツ制御システムを有し得、コピー保護信号またはコンテンツ制御を無効化／変更／除去／弱化させる。例えば、ＨＤＴＶのコピー保護を有するＴＶ信号を、無効ＡＣＰコピー保護信号を有するか、またはＡＣＰ信号のないＳＤＴＶ信号に変換し得る。ここで、「無効」は弱化と同様であるが、効果をもたないことを含む。一実施形態では、図１４Ａおよび図１４Ｂ〜図１９は、例えば、数学的にレンジである結果としてのマッピングが、無効ＡＣＰ信号またはＡＣＰ信号の除去を提供する場合の無効化装置の動作を表す。例えば、装置５２１において、マッピング関係式または関数「ｇ」が、ＡＣＰ信号１−ｎをゼロまたは無効ＡＣＰとして有する場合、装置５２１はＡＣＰ無効化装置になる。例えば、「ｇ」において、ＡＣＰ信号＝０である。すなわち、「ｇ」は、ＡＣＰ信号またはコンテンツ制御信号が変換されたＴＶ信号に提供されないことを意味する。
【００６９】  逆に、ＡＣＰ信号のないある規格のＴＶ信号を、ＡＣＰ信号を有する別のＴＶ規格に準拠した信号に変換し得る。例えば、ＡＣＰなしのＳＤＴＶ信号を、ある形態のＡＣＰを有するＨＤＴＶ信号に変換し得る。この例では、「ｆ」において、ＡＣＰ信号＝０であるが、「ｇ」では、ＡＣＰ信号＝ＡＧＣパルス、（等価の）カラーストライプ信号、パルスペア疑似同期（ｐｕｌｓｅ  ｐａｉｒ  ｐｓｅｕｄｏ  ｓｙｎｃ）／ＡＧＣ信号、コンテンツ制御信号、または映像信号変更である。ＴＶ規格がスケーリングまたは変更されるときは常に、元の入力信号に関係なく、コピー保護信号またはコンテンツ制御信号を追加する必要があり得る。
【００７０】  それにより、図１５〜図１９は、装置５２１が行列にマッピングする動作のベクトル表現を示し、各行列の各列は、特定の規格ならびに／あるいはコンテンツ制御信号および／またはコピー保護信号のセットを表す。ベクトルは、ＴＶ規格がスケーリングされる場合に追加される信号に関して実施される、装置５２１（または５１１）内の論理またはソフトウェアに実装されるルックアップテーブルの部分であり得る。したがって、ベクトルは、チップまたは装置のチップレベルまたは動作レベルについての仕様を表す。例えば、ＮＴＳＣ用の入力を有する、ＤＶＲ（デジタルビデオレコーダ）に準拠した特定の複数のＴＶ規格があると考える。ベクトル記述は、ＮＴＳＣ信号にカラーストライプ信号等のＡＣＰ信号が記録されている場合、出力再生が、後部ポーチパルス（またはＨＤＴＶ信号変更）を含むＨＤＴＶ（例えば、７２０ｐまたは１０８０ｉ）であり得ることを装置に命令する。図１５では、行列５３０はドメインを表し、行列５３１はレンジを表す。したがって、行列５３０＝ドメインまたは異なるＴＶ規格に変換される前の入力信号であり、行列５３１＝レンジ、すなわち、別のＴＶ規格に変換された信号である。矢印は、マッピング関係または関数を表し、ＴＶ規格および／またはＡＣＰ／コンテンツ制御信号内の変更または変換を表す。矢印は、ＴＶ規格内の変換を表すが、ＡＣＰ信号のセットも同様に変更または変換され得ることも表す。これは、通常、メモリに記憶されるか、送信されるか、または装置５２１（または５１１）にダウンロードされる変換関数に依存する。
【００７１】  例えば、図１５は、スケーラおよびエンコーダ装置５２１の機能を表す。コピー保護／コンテンツ制御信号またはビットのセットを有するデジタルまたはアナログＴＶ信号の一種の信号が、変更、変換、追加／提供、または削除が可能なコピー保護／コンテンツ制御信号／ビットのセットを有する新たな種類のＴＶ信号に変換される（またはこの逆）。さらなる例では、行列５３１内のＴＶ規格のうちの１つは、少なくとも３値同期信号またはＨＤ信号を含む。
【００７２】  さらに別の例では、図１５は、復号化装置（デコーダ）の機能を行列形式で表す。ここで、ある規格の映像のソースは、関連するコンテンツ制御／コピー保護信号と共に、図１４Ａのような復号化装置を含む装置に結合またはリンクされる。検出器は単に、特定のＡＣＰ信号（またはコンテンツ制御信号）の存在を感知し得る。デコーダはさらに、信号を解釈するであろう。例えば、検出器は疑似同期パルスを検出し得るが、デコーダは、検出された疑似同期パルスの数またはＶＢＩ内の疑似同期パルスの場所も出力し得る。リーダが、パルスを感知、計数、または場所特定し、次に、パルスが何を意味するかを解釈する。したがって、リーダは、例えば、ＮＴＳＣ  ＶＢＩ手段のライン１０で見つかった３つの疑似同期パルスを示して、フォーマット７２０ｐに変換し、１時間後に記録をシャットダウンする要素を含み得る。デコーダは、特定のＴＶ規格および／または関連するコンテンツ制御／コピー保護信号を検出し、インジケーション信号（例えば、どのＴＶ規格、どのコンテンツ制御情報、またはコピー保護信号か）を生成または提供する。次に、このインジケーション信号を使用して、異なるＴＶ規格およびコンテンツ制御信号、コピー保護信号、映像信号変更、または削除信号のセットを提供し得る。例えば、１セットのＡＣＰ信号を有するＨＤ信号が、送信または記憶を介して提供され、復号化装置を含む装置に結合される。復号化装置は、ＡＣＰなし、ＡＣＰあり、コンテンツ制御信号あり、またはＳＤもしくはＬＤの信号変更ありの出力ＳＤ信号または出力ＬＤ信号を提供し得る。一例では、ＨＤ構成信号は、コピー保護信号なし、コンテンツ制御信号なし、コピー保護信号あり、またはコンテンツ制御信号ありのうちの任意のものとして定義されるＡＣＰ信号を有し得る。
【００７３】  復号化装置（デコーダ）は、あるＴＶ規格の保護されていない信号を受信し、プログラムされたアルゴリズムまたはルックアップテーブルを使用して、コンテンツ制御、コピー保護、または信号変更のある別のＴＶ規格を出力することが可能である。これは、デフォルト状況であることができ、または保護されていない映像信号が元々、コピー保護された映像信号が「ハッキング」されたものであったと想定することができる。例えば、ブラックボックスを介して供給された保護されていない映像信号は依然として、幅縮小同期、下降後部ポーチ、または１つもしくは２つの後部ポーチパルス等の元のコピー保護信号の部分を有し得る。残っている任意の変更または元のコピー保護信号の部分を感知すると、復号化装置は、ＴＶ規格を変更し、コンテンツ制御信号のより複雑（例えば、効率的な）セットを適用する。次に、復号化装置を使用して、ＴＶ信号を受信し、追加、強化、増強、弱化、または無効化された形態のコンテンツ制御／コピー保護信号を有するＴＶ信号を提供することができる。入ってくるソース入力映像インタレース信号が、ＢＰＰ（後部ポーチパルス）ＡＣＰ信号のみを有すると考えると、復号化装置は、４８０ｐまたは７２０ｐ等のプログレッシブＴＶ規格用のＰＳ（疑似同期）パルスを追加して、モニタ上への入力ＡＣＰ信号の表示を阻止し得る。コンテンツ制御が、表示の阻止（記録の阻止とは対照的に）を含み得ることを想起すると、プログレッシブＴＶフォーマットに含まれたＢＰＰ信号が記録を止め、追加されたＰＳパルスが表示を止め、したがって、コンテンツ制御が強化されたが、この映像信号は、例えば、依然として送信できると言える。
【００７４】  図１５を具現した別の装置は、ＴＶ規格を変換するトランスコーダである。トランスコーダは、例えば、変更（例えば、後部ポーチパルス、疑似同期、ＡＧＣパルス、追加波形、同期変更等）を有するＨＤ信号を受信し、次に、コンテンツ制御信号／コピー保護信号あり、またはなしの別の規格（例えば、ＳＤまたはＬＤ）のデジタル信号またはアナログ信号を出力し得、またはこの逆も可能である（例えば、トランスコーダにＳＤまたはＬＤが入力され、ＨＤが出力される）。
【００７５】  トランスコーダ装置は、同じ規格を受信し出力するが、コンテンツ制御信号またはコピー保護信号の種類に関して、異なる信号変更を提供し得る。例えば、第１の種類のコピー保護信号Ａが装置の入力に結合内、そして、この装置は、第２の種類のコピー保護信号を出力する。これら２つの種類のコピー保護信号は、共通するコピー保護信号／コンテンツ制御信号を有さなくてもよく、または共通の少なくとも１つの信号または変更を有してもよい（例えば、両方とも立ち下がりパルスまたは立ち上がりパルス、同期変更、または追加波形等を含み得る）。本明細書における説明と同様に、２つの種類のコピー保護の状況は、あるＴＶ規格を受信し、異なるＴＶ規格を出力する装置に適用し得る。トランスコーダに関して、この装置は、レコーダ、記憶装置、コンピュータ、および／または送信器を含み（または結合され）得る。
【００７６】  図２０は、図５と同様のＨＤ、ＳＤ、およびＬＤ規格用のＡＣＰ信号のルックアップテーブル（マッピング関数）を示す。「ｘ」が記された図２０の各列は、図１４Ｂ、装置５２１の「ｆ」または「ｇ」を参照して上述したように、各ＴＶ規格の（ＡＣＰまたはコンテンツ制御信号の）セットの要素を示す。図５および図２０は単なる一例であり、ＢＰＰ等の列挙された特徴以外の他の特徴を追加してもよく、または各ＴＶ規格のリストが異なる特徴リストであってもよい。要素は、例えば、メモリ回路または制御ビットによりイネーブルされる。セット内の要素は、ＨＤを含む任意のＴＶ規格のＡＣＰまたはコンテンツ制御信号の新しいリストを提供するように変更または更新し得る。この例示では、通常、変更されたカラーバースト信号が、ＮＴＳＣもしくはＰＡＬ等のコンポジットインタレースＴＶ規格および／または低精細コンポジットフォーマット（例えば、ＮＴＳＣ２４０プログレッシブ）に準拠した信号に存在する。一般に、このような等価の変更されたカラーバースト信号は、ＲＧＢまたはＹ、Ｐｒ、Ｐｂ等のコンポーネント映像信号にはない。しかし、オプションとして、色差Ｐｒおよび／またはＰｂチャネルのＨＢＩまたはＹ輝度チャネルにおいて、カラーバースト変更の均等物を持ち越すように変更することができる。ＢＰＰ、ＰＳ、およびその他は、任意の組み合わせで使用し得るコンテンツ制御信号またはコピー保護信号の単なる例である。通常、これら信号は、図２０に見られるように、異なるＴＶ規格に対して別様に適用される。例えば、ＳＤの場合、ＰＳ（疑似同期）が含まれるが、ＨＤでは、ＰＳは使用されない。
【００７７】  図２１は図１５と同様の図であり、場合によっては、２つの異なるＴＶフォーマットが本質的に同じ解像度であることを示す。図１５では、行列５３０のＴＶ＿ＳＴＡＮＤＡＲＤ＿０は、行列５３１のＴＶ  ＳＴＡＮＤＡＲＤ＿１と同じ解像度を有し得る。例えば、ＰＡＬ−ＭはＮＴＳＣと同じ解像度を有し、またはＳＥＣＡＭはＰＡＬと同じ解像度を有する。したがって、あるコンテンツ制御信号またはコピー保護信号の検出が、異なるコンテンツ制御信号および／またはコピー保護信号に適用されたかもしれない。違いの一例は、行列５９０の元の信号から、図２１の行列５９１において１つまたは複数の信号（１つまたは複数の信号の部分）を追加し、かつ／または削除することにより、変更を有することである。図２１中、左下の行列は５９４であり、右下の行列は５９５である。チップまたは装置によっては、ＡＣＰおよび／またはコンテンツ制御信号は、行列５９２〜５９５のように、プロプライエタリ（ｐｒｏｐｒｉｅｔａｒｙ）であり得る。したがって、プロプライエタリコピー保護種類Ｘ、Ｙ、またはＭａｃｒｏｖｉｓｉｏｎが行列５９２〜５９５内にあり得る。したがって、本方法では、ＴＶ信号プログラム映像ソースは、種類ＹのＡＣＰ信号またはコンテンツ制御信号を含み得、装置は、この信号を受信し、規格が異なるが、種類ＸのＡＣＰまたはコンテンツ制御信号のＴＶ信号を出力する。したがって、図１３Ｂの装置５０２等の受信側装置は、複数の種類のコンテンツ制御信号またはコピー保護信号を検出または読み取る検出器を含み得る。同様の機能の装置５１０もしくは５０２等の装置またはＩＣ（集積回路）は、２つ以上の種類（例えば、ブランド）のＡＣＰまたはコンテンツ制御信号を提供可能である。別の例では、ＭａｃｒｏｖｉｓｉｏｎタイプのＡＰＳまたは構成ビットを有するデジタル映像ビットストリームが、セットトップボックスまたはメディアプレーヤ（例えば、携帯式ＡＴＳＣ、ＤＴＶ、ＴＶセット、およびレコーダ）に提供されると考えると、セットトップボックスまたはメディアプレーヤは、種類Ｘのコンテンツ制御ビットを有するデジタル（またはアナログ）信号を出力し、かつ／または種類Ｘのコピー保護信号を有する（ＨＤ）アナログ映像信号を出力し得る（逆も同様である）。
【００７８】  図２２は、本明細書に示す部分以外、大部分は従来通りの構成要素を含む、アナログまたはデジタルの入力映像信号に対して本発明により動作する感知システムのリーダのブロック図である。入力デジタル映像信号ＶｉｄｅｏＤ（またはアナログ／デジタルコンバータ６０１の出力）は、選択リンク６０２を介してタイミング生成器６０３に結合される。デコーダ６０９は、リンク６０２から選択されたデジタル映像ストリームを受信する。デコーダ６０９は、通常、コンポジットＴＶ信号（例えば、Ａ／Ｄコンバータ６０１からデジタル化された）を復号化して、Ｒ、Ｇ、Ｂ、またはＹ、Ｐｂ、Ｐｒ等のコンポーネント映像信号にする。場合によっては、入力デジタル信号がすでにコンポーネント映像信号のフォーマットである場合、デコーダ６０９を迂回することができる。輝度および／または彩度コンポーネント信号は、次に、複数の閾値検出器（例えば、検出器６０５、６０６、および６０７）に結合されて、デジタル映像ストリームの特定の部分が感知される。タイミング生成器６０３は、ラインおよびフィールド／フレーム信号をデジタル映像信号から抽出して、水平および垂直レート基準信号を提供し、次に、これら基準信号は生成器回路６０４に結合される。回路６０４は、任意のコンテンツ制御信号またはコピー保護信号について調べられる映像信号の様々な場所にゲート信号を提供する。
【００７９】  例えば、信号Ｇａｔｅ１が、垂直ブランキング期間内の選択されたラインと選択されたピクセル位置に一致し得る。したがって、信号Ｇａｔｅ１は、疑似同期パルスおよび／またはＡＧＣパルスが存在する場合、期間または間隔に「窓掛け（ｗｉｎｄｏｗ）」する。Ｇａｔｅ１は、次に、閾値検出器（例えば、ＡＧＣパルスを検出するために、ブランキングレベルよりも上に設定されるか、または検出器６０９から輝度またはＹチャネル内の疑似同期パルスを検出するためにブランキングレベルよりも下に設定される）である検出器６０５に結合される。検出器６０５の出力は、論理回路６０８に結合され、次に、論理回路６０８は、識別信号Ｏｕｔｐｕｔ  ＬＧを介して映像信号内の立ち上がりパルスまたは立ち下がりパルスの存在を識別することができる。この識別信号は、ＡＣＰ信号（例えば、パルス−疑似同期および／またはＡＧＣ）の場所および／またはＴＶライン毎のこのようなパルスの数を示す信号を提供する。この識別は、感知された各パルスの幅または持続時間を含み得る。（一般に、閾値検出器は、デジタルコンパレータ回路を含むように実装し得る）。
【００８０】  さらなる例では、信号Ｇａｔｅ２が、水平ブランキング期間（ＨＢＩ）に一致し得、これにより、次に、閾値検出器６０６が、デコーダＤ  ６０９の輝度またはＹチャネルについて、ＨＢＩの部分内の立ち上がりパルスまたは立ち下がりパルスを感知することができ得る。
【００８１】  別の例では、デコーダＤ  ６０９からの色信号Ｐｂおよび／またはＰｒは閾値検出器６０７に結合され、ＧａｔｅＮ信号が映像後部ポーチ部分に一致する。カラーストライプ信号またはカラーバースト変更（部分または全部）が映像に存在する場合、復号化された信号Ｐｂおよび／またはＰｒは、通常の位相のカラーバースト信号と異なる信号レベルを示すことになる。したがって、閾値検出器６０７は、次に、ＡＣＰカラーバースト変更を示す信号を生成し得、検出器６０７の出力は論理回路６０８に結合される。
【００８２】  論理回路６０８は、次に、以下のうちの１つまたは複数を示す（出力信号ＬＧを介して）。すなわち、
映像信号の部分内の立ち上がり信号および／または立ち下がり信号、
映像信号の部分内の追加波形、
カラーバースト内の位相変更（例えば、カラーストライププロセスまたは弱化もしくは無効化されたカラーストライププロセス）、
カラーバーストの長さ（変更ありまたは変更なし）、
カラーバーストの振幅、
カラーバーストの位相変更のピクセル場所および／またはライン場所、
ならびに／あるいはフィールドまたはフレーム毎の数またはカラーバースト変更。
【００８３】  回路要素６０５〜６０８は、映像信号に対する最大でＮ個の種類の信号または変更の識別または読み取りを可能にする。論理６０８の出力信号ＬＧは、次に、ＣＰＵまたは計算（または算術）ユニット（図２３参照）に結合し得る。例えば、ＣＰＵは、（受信した）ＡＣＰまたはコンテンツ制御信号のセット（例えば、図１４Ｂの装置５２１での「ｆ」）を決定し、次に、図２３の回路要素６２６、６２８、または６２９および図２３のエンコーダ６２４の出力を介して、異なるＴＶ規格のＡＣＰまたはコンテンツ制御信号のセット（例えば、装置５２１での「ｇ」）提供することができる。
【００８４】  論理６０８は、選択された周波数の波形を感知する周波数および／または位相検出器（図示せず）を含むか、またはそれに関連付けられてもよい。場合によっては、特定の周波数の１つまたは複数のサイクルがコンテンツ制御信号に使用され得るため、周波数範囲内の１つまたは複数のサイクルを感知することが、論理６０８の出力ＬＧにおいて示される。
【００８５】  図２２の回路要素６０５〜６０８は、セレクタ６０２を介して（入力）デジタル映像ストリームＶｉｄｅｏＡに結合されて、ＡＰＳビット、構成ビット、制御ビット、またはＡＣＰもしくはコンテンツ制御信号のセットを表す他の任意のデータ等のデジタルデータを読み取ることができる。このデータは、次に、ＣＰＵ（図２３参照）に結合することができ、ＣＰＵは、次に、異なるＴＶ規格のＡＣＰまたはコンテンツ制御信号のセットを適用することができる。例えば、このようなデータまたはビットは、ＤＶＤの信号ストリーム内に提供してもよく、またはこのようなビットは、システムオペレータから受信されるか（例えば、送信、ケーブル、ファイバ、無線等を介して）、または媒体に記憶されるか、またはデータ入力により受信されるセットトップボックス（または携帯装置）の制御ビットを通して提供してもよい。
【００８６】  場合によっては、コンテンツ制御信号、コピー保護信号、データ、および／または波形変更は、アナログ入力Ｖｉｄｅｏ  Ａのアナログ領域から読み取られ、または感知され得る。感知または読み取りは、アナログ領域および／またはデジタル（またはソフトウェア）領域の任意の組み合わせで行ってもよい。図２２中、アナログ映像信号Ｖｉｄｅｏ  Ａはタイミング生成器Ａ６１０に結合され、次に、タイミング生成器Ａ６１０は、水平およびフィールド／フレームレート信号をライン／ピクセル生成器Ａ６１１に出力する。ライン／ピクセル生成器Ａ６１１は、１つまたは複数の信号変更に一致するゲート信号を出力する。例えば、生成器６１１は、ＶＢＩの部分（例えば、疑似同期／ＡＧＣパルスが挿入または追加された場所）中および／またはＨＢＩの部分（例えば、カラーストライプ信号が追加または挿入された場所）中に論理ハイである１つまたは複数の信号を出力し得る。次に、生成器６１１は、映像信号の１つまたは複数の部分の表示変更である信号を出力し得る。
【００８７】  立ち上がりパルスまたは立ち下がりパルスを感知する一例では、ＶＢＩの部分のゲート信号が結合されて、コンパレータ回路６１２が、ＶＢＩの部分内の立ち上がりパルス（例えば、データ、ＣＧＭＳ、ＡＧＣ、映像信号の正レベルシフト部分、周期波形）または立ち下がりパルス（例えば、疑似同期パルス、映像信号の下降部分、周期波形）を示す論理信号Ｏｕｔ  Ｃ、Ｏｕｔ  Ｃｍを出力できるようにする。論理回路Ａ６１３が結合されて、コンパレータ６１２からのこれら出力信号を受信し、コンテンツ制御信号および／またはコピー保護信号の少なくとも部分を示す１つまたは複数の信号Ｏｕｔｐｕｔ  ＬＧＡを提供する。論理Ａ回路６１３は、出力信号Ｏｕｔｐｕｔ  ＬＧＡにおいて、検出された１つまたは複数のパルス／信号の場所（例えば、ライン場所、フィールド／フレーム場所、および／またはピクセル場所）、持続時間、および数量を提供することもできる。
【００８８】  アナログ領域でのカラーバースト変更を検出するために、入力アナログＶｉｄｅｏＡ信号は、通常、位相ロックループ回路（ＰＬＬ）、バースト連続発振器（ＢＣＯ：ｂｕｒｓｔ  ｃｏｎｔｉｎｕａｔｉｏｎ  ｏｓｃｉｌｌａｔｏｒ）、または均等物（例えば、リンギング回路）であり得るＰＬＬ６１４に結合される。ＰＬＬ６１４の出力は、カラーバーストの平均位相の信号であり、位相検出器６１５に結合される。ライン／ピクセル生成器Ａ６１１の出力を有する位相検出器６１５は、ノーマルの位相および／または非ノーマルの位相を有するＴＶラインを示す信号を提供する。位相検出器６１５の出力は論理回路Ｃ６１６に結合され、論理回路Ｃ６１６は、カラーバースト変更（カラーストライプ）を示す出力信号Ｏｕｔｐｕｔ  Ｃを提供する。論理Ｃの出力信号Ｏｕｔｐｕｔ  Ｃは、以下のうちの１つまたは複数も示し得る（図９参照）。
カラーバーストの持続時間
カラーバースト位相切り替え点の数
持続時間（フィールドまたはフレーム等）毎の非ノーマルカラーバーストの数またはカラーバースト変更の数
カラーバースト変更を有するＴＶラインの場所
カラーストライププロセスの種類
変更されたカラーバーストのノーマル位相部分および／または非ノーマル位相部分の持続時間
カラーバースト（コンテンツ制御に使用され得る）の少なくとも一部分の欠落または延長
【００８９】  上記は例であり、周波数、変調、および／または振幅等の、変更されたカラーバーストの他の特徴があってもよく、示されてもよいことに留意する。これらすべての特徴がデジタル領域に存在してもよく、回路６０８からの信号Ｏｕｔｐｕｔ  ＬＧが、論理Ａ６１３および／または論理Ｃ６１６からの出力信号ＬＧＡ内に信号の種類を含み得る（逆も同様）ことに留意されたい。
【００９０】  このようなリーダまたは検出器は、プログラム可能であり得る。複数のＴＶ規格（例えば、ＨＤフォーマットを含む）に対してリーダまたは検出器がプログラム可能なことにより、コンテンツ制御信号、コピー保護信号、または変更または更新された他の変更された信号を識別することができる。
【００９１】  図２３は、あるＴＶ規格を別のＴＶ規格に変換し、いくつかの実施形態では図２２のリーダ装置と併せて使用される、本発明によるスケーラをブロック図で示す。デジタル入力映像輝度信号およびデジタル入力映像彩度信号がそれぞれ、メモリ要素（レジスタ等）６２１および６２２に結合される。メモリ要素６２１および６２２は、映像信号をピクセルおよびラインに関してコンポーネント形態で記憶する。要素６２１および６２２の出力信号は、フォーマット回路または信号処理回路６２３に結合され、この回路６２３は、通常、入力輝度信号および入力彩度信号に適用されるデシメーション（例えば、信号を時間的に制限する）回路および／または補間（例えば、信号を時間的に延ばす）回路を含む。次に、フォーマッタ６２３の出力は、新しいＴＶ規格のピクセルおよびライン（Ｙ’および（Ｐｂ／Ｐｒ）’と示される）を提供し、この出力は回路６２４（エンコーダ６２５および波形生成器６２６を含む）に結合される。エンコーダ６２５は、通常、新しいＴＶ規格に適した新しい同期信号を挿入または追加する。コンポジット信号または副搬送波信号が必要な場合、エンコーダ６２５は、副搬送波生成のための変調回路およびデジタル／アナログコンバータを含む。エンコーダ６２４内のオプションのデジタル／アナログコンバータは、コンポジット、Ｓ−映像、および／またはコンポーネント映像信号の形態のアナログ出力信号を提供する。
【００９２】  エンコーダ６２５からのＴＶ信号（新しい規格の）に対して、波形生成器６２６は、適したコピー制御／コピー保護信号変更を新しいＴＶ規格の映像信号に追加または提供する。生成器６２６は、プリセットまたは記憶されたビットまたはデータ入力されたビットを有し得る構成制御システム６２８から、波形生成器６２６に新しいＴＶ信号内に１つまたは複数の変更を提供するように指示する命令を受信し得る。波形生成器６２６により実装される、変換された映像信号に対するこのような変更の例示的なリストを表６３６に示す。
【００９３】  波形生成器６２６は、例えば、新たに変換またはスケーリングされたＴＶ信号のＡＧＣパルス（例えば、正のパルス）またはその他の信号を生成する。メモリ６３０を有するＣＰＵ６２７は、要素６２１、６２２、６２３、６２５、６２６、および／または６２８を制御する。ＣＰＵ６２７は、例えば、図２２のリーダから、入力映像信号（図１４Ｂの装置５２１内のＡＣＰまたはコンテンツ制御信号のセット）からコンテンツ制御信号またはコピー保護信号のセットを識別する情報（Ｏｕｔｐｕｔ  ＬＧ、ＬＧＡ、またはＯｕｔｐｕｔ  Ｃ信号）を受信する。
【００９４】  ＣＰＵ６２７は、次に、新たにスケーリングされたＴＶ信号のコンテンツ制御信号またはコピー保護信号の（新しい）セットを割り当て得る。図１４Ｂの装置５２１内の「ｇ」に関するＡＣＰまたはコンテンツ制御信号のセットの割り当ては（例えば）、スケーリングされる先の最終的なＴＶ規格に従い、かつ／またはリーダ（例えば、図２２の要素６０８、６１３、または６１６）の出力に基づいて、事前にプログラムされ得る。
【００９５】  別の例では、メモリ要素６２９に記憶され、記憶装置または受信器（図示せず）から受信された制御ビットにより、新しいＴＶ規格に割り当てられるべきコンテンツ制御信号またはコピー保護信号の種類が決まる。例えば、ＤＶＤプレーヤまたはセットトップボックスは、新しいＴＶ規格に適用すべきコンテンツ制御信号の種類に関する、メモリ６２９に記憶されたファイル（例えば、図１４Ｂの５２１の「ｇ」関数内に見出されるセットＡＣＰまたはコンテンツ制御信号を適用する）を受信し得る。このファイルは、ＣＰＵ６２７に入力し得、ＣＰＵ６２７はこのファイルをメモリ６３０に記憶し、波形生成器６２６に送信して、新しいＴＶ規格のコンテンツ制御信号および／またはコピー保護信号を提供する。
【００９６】  ＣＰＵ６２７は、出力映像ＴＶフォーマットまたは規格を選択／制御もする。エンコーダ６２５からの信号ＶｏｕｔＮＳが、コンテンツ制御信号および／またはコピー保護信号のセットを有する新しい映像規格ＴＶ信号である。信号ＶｏｕｔＮＳは、例えば、コンポジット、コンポーネント、またはＳ−映像信号であるか、またはデジタル映像信号である。構成要素６２８（ＣＰＵ６２８により制御される）は、オン／オフモードおよび／またはＡＰＳビット（アナログ保護信号の１つまたは複数の種類）あるいは構成（例えば、疑似同期、ＡＧＣ、カラーストライプ等の固定振幅等の様々な波形の構成の制限）を介して生成器６２６に様々な波形を選択する代替の方法（破線で示される）を表す。
【００９７】  場合によっては、生成器６２６は、ＣＰＵ６２７を介するような、コンテンツ制御、データ、および／またはコピー保護信号に関して、信号ＶｏｕｔＮＳに対する任意の変更を提供するという点で柔軟性を有する。このような波形生成は、映像信号のピクセルレベルまで下がる任意の部分を変更することを含む。
【００９８】  本明細書において説明した装置または方法は、アナログ回路、デジタル回路、および／またはソフトウェア実装の任意の組み合わせで従来通りに具現され得る。デバイスまたは装置は、１つまたは複数のビットまたは信号を介してイネーブル、ディセーブル、または構成され得る。さらに、回路（例えば、集積回路内等）は、プログラムソフトウェアまたは溶断可能なリンク（ｆｕｓａｂｌｅ  ｌｉｎｋ）を介して切断またはディセーブルされ得る。メモリまたは記憶装置を含んでもよい。例えば、チューナ、変調器、または出力段として動作するＲＦ（無線周波）装置を含めてもよい。このような装置の設計および製作は、本開示に照らして慣行的な作業であろう。
【００９９】  本開示は例示であり、限定するものではない。さらなる変更が本開示を踏まえて当業者には明らかであり、そのような変更は添付の特許請求の範囲内にあることが意図される。
【図１】
2010539864.tif 000009
【図２Ａ】
2010539864.tif 000010
【図２Ｂ】
2010539864.tif 000011
【図２Ｃ】
2010539864.tif 000012
【図３】
2010539864.tif 000013
【図４】
2010539864.tif 000014
【図５】
2010539864.tif 000015
【図６】
2010539864.tif 000016
【図７Ａ】
2010539864.tif 000017
【図７Ｂ】
2010539864.tif 000018
【図７Ｃ】
2010539864.tif 000019
【図７Ｄ】
2010539864.tif 000020
【図７Ｅ】
2010539864.tif 000021
【図７Ｆ】
2010539864.tif 000022
【図７Ｇ】
2010539864.tif 000023
【図８Ａ】
2010539864.tif 000024
【図８Ｂ】
2010539864.tif 000025
【図８Ｃ】
2010539864.tif 000026
【図８Ｄ】
2010539864.tif 000027
【図８Ｅ】
2010539864.tif 000028
【図９】
2010539864.tif 000029
【図１０】
2010539864.tif 000030
【図１１Ａ】
2010539864.tif 000031
【図１１Ｂ】
2010539864.tif 000032
【図１２Ａ】
2010539864.tif 000033
【図１２Ｂ】
2010539864.tif 000034
【図１３Ａ】
2010539864.tif 000035
【図１３Ｂ】
2010539864.tif 000036
【図１３Ｃ】
2010539864.tif 000037
【図１３Ｄ】
2010539864.tif 000038
【図１４Ａ】
2010539864.tif 000039
【図１４Ｂ】
2010539864.tif 000040
【図１５】
2010539864.tif 000041
【図１６】
2010539864.tif 000042
【図１７】
2010539864.tif 000043
【図１８】
2010539864.tif 000044
【図１９】
2010539864.tif 000045
【図２０】
2010539864.tif 000046
【図２１】
2010539864.tif 000047
【図２２】
2010539864.tif 000048
【図２３】
2010539864.tif 000049
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
映像信号を変換する方法であって、  第１のテレビ規格に準拠し、コンテンツ制御情報を含む映像信号を受信することと、  前記受信した映像信号を第２のテレビ規格に準拠するように変換することと、  前記変換された映像信号に、前記受信した映像信号内のコンテンツ制御情報に対応するコンテンツ制御情報を含めることと、  前記対応するコンテンツ制御情報を有する前記変換された映像信号を出力することとを含み、  出力された前記映像信号における前記コンテンツ制御情報は、フラグ、制御ビット、変更信号、疑似同期パルス、カラーバースト変更、ＡＧＣパルス、後部ポーチパルス、変更された同期パルス、ブランキング期間変更信号、または変更された値を有する３値同期パルスのうちの１つである、方法。
【請求項２】
前記第２のテレビ規格は、ＮＴＳＣ、ＰＡＬ、ＳＥＣＡＭ、ＶＧＡ、またはＨＤＴＶ規格のうちの１つである、請求項１に記載の方法。
【請求項３】
前記第２のテレビ規格はＨＤＴＶ規格であり、前記第１のテレビ規格はＨＤＴＶ規格であり、前記第１および第２のテレビ規格は、プログレッシブ走査あるいはインタレース走査、または解像度のライン数の点で異なる、請求項２に記載の方法。
【請求項４】
スケーラ、トランスコーダ、エンコーダ、またはコンバータである、請求項１に記載の方法を実行するように構成された装置。
【請求項５】
前記出力映像信号内の前記コピー制御情報は、前記受信した映像信号内の前記コンテンツ制御情報と同じコンテンツ制御効果を有する、請求項１に記載の方法。
【請求項６】
映像信号を変換する装置であって、  第１のテレビ規格に準拠した映像信号を受信するように構成された入力端子と、  前記入力端子に結合され、前記受信した映像信号を第２のテレビ規格に変換する映像コンバータと、  前記入力端子に結合され、前記受信された映像信号におけるコンテンツ制御情報を検出する検出器と、  前記検出器に結合され、前記検出されたものに対応する、前記第２のテレビ規格のコンテンツ制御情報を生成するコンテンツ制御論理と、  前記検出器および前記コンバータに結合され、前記生成されたコンテンツ制御情報を前記変換された映像信号に結合する結合器と、  前記結合器に結合され、前記変換された映像信号を出力する出力端子とを備え、  出力された前記映像信号における前記コンテンツ制御情報は、フラグ、制御ビット、変更信号、疑似同期パルス、カラーバースト変更、ＡＧＣパルス、後部ポーチパルス、変更された同期パルス、ブランキング期間変更信号、または変更された値を有する３値同期パルスのうちの１つである、装置。
【請求項７】
前記第２のテレビ規格は、ＮＴＳＣ、ＰＡＬ、ＳＥＣＡＭ、ＶＧＡ、またはＨＤＴＶ規格のうちの１つである、請求項６に記載の装置。
【請求項８】
前記第２のテレビ規格はＨＤＴＶ規格であり、前記第１のテレビ規格はＨＤＴＶ規格であり、前記第１および第２のテレビ規格は、プログレッシブ走査あるいはインタレース走査、または解像度のライン数の点で異なる、請求項７に記載の装置。
【請求項９】
スケーラ、トランスコーダ、エンコーダ、またはコンバータのうちの１つである、請求項６に記載の装置。
【請求項１０】
前記装置から出力される前記映像信号内の前記コピー制御情報は、前記受信した映像信号内の前記コンテンツ制御情報と同じコンテンツ制御効果を有する、請求項６に記載の装置。
【請求項１１】
映像信号を処理する方法であって、  第１のテレビ規格に準拠し、コンテンツ制御情報を含む映像信号を受信することと、  前記コンテンツ制御情報を検出することと、  前記受信した映像信号内のコンテンツ制御情報に対応する、第２のテレビ規格のコンテンツ制御情報を生成することと、  前記対応するコンテンツ制御情報を出力することとを含み、  出力された前記映像信号における前記コンテンツ制御情報は、フラグ、制御ビット、変更信号、疑似同期パルス、カラーバースト変更、ＡＧＣパルス、後部ポーチパルス、変更された同期パルス、ブランキング期間変更信号、または変更された値を有する３値同期パルスのうちの１つである、方法。
【請求項１２】
前記第２のテレビ規格は、ＮＴＳＣ、ＰＡＬ、ＳＥＣＡＭ、ＶＧＡ、またはＨＤＴＶ規格のうちの１つである、請求項１１に記載の方法。
【請求項１３】
前記第２のテレビ規格はＨＤＴＶ規格であり、前記第１のテレビ規格はＨＤＴＶ規格であり、前記第１および第２のテレビ規格は、プログレッシブ走査あるいはインタレース走査、または解像度のライン数の点で異なる、請求項１１に記載の方法。
【請求項１４】
リーダ、検出器、またはデコーダである、請求項１１に記載の方法を実行するように構成された装置。
【請求項１５】
前記出力されるコピー制御情報は、前記受信した映像信号内の前記コンテンツ制御情報と同じコンテンツ制御効果を有する、請求項１に記載の方法。
【請求項１６】
映像信号を処理する装置であって、  第１のテレビ規格に準拠した映像信号を受信するように構成された入力端子と、  前記入力端子に結合され、前記受信された映像信号内のコンテンツ制御情報を検出する検出器と、  前記検出器に結合され、前記検出されたコンテンツ制御情報に対応する、第２のテレビ規格のコンテンツ制御情報を生成するコンテンツ制御論理と、  前記論理に結合され、前記生成されたコンテンツ制御情報を出力する出力端子とを備え、  出力された前記映像信号における前記コンテンツ制御情報は、フラグ、制御ビット、変更信号、疑似同期パルス、カラーバースト変更、ＡＧＣパルス、後部ポーチパルス、変更された同期パルス、ブランキング期間変更信号、または変更された値を有する３値同期パルスのうちの１つである、装置。
【国際調査報告】
2010539864.tif 000050
2010539864.tif 000051